(57)【要約】  存在情報を活用し得る情報通知装置が提供される。  情報通知装置(10)は、トリガー情報に応じて第１の移動体例えば四輪車(200)と第２の移動体例えば二輪車(300)又は乗用型の電動カート(300)との間の少なくとも１つの存在情報(MESSAGE10,MESSAGE20,MESSAGE30)を生成する処理部(11)と、少なくとも１つの存在情報を四輪車(200)及び二輪車又は電動カート(300)の両者に送信する送信部(16)と、を備えている。少なくとも１つの存在情報は、例えば第１の存在情報(MESSAGE20)及び第２の存在情報(MESSAGE30)である。例えば第２の存在情報(MESSAGE30)は、電動カート(300)の第２の処理部(31)に、第２の存在情報(MESSAGE30)に基づく電動カート(300)の周辺の四輪車(200)の存在を表す他の存在情報(34-5)を識別させることが可能である。
2015064745.tif 000002
【特許請求の範囲】
【請求項１】
トリガー情報に応じて、第１の移動体と第２の移動体との間の少なくとも１つの存在情報を生成する処理部と、
前記少なくとも１つの存在情報を前記第１の移動体及び前記第２の移動体の両者に送信する送信部と、
を備え、
前記少なくとも１つの存在情報は、前記第２の移動体の第２の処理部に、前記少なくとも１つの存在情報に基づく前記第２の移動体の周辺の前記第１の移動体の存在を表す他の存在情報を識別させることが可能であることを特徴とする情報通知装置。
【請求項２】
前記少なくとも１つの存在情報は、第１の存在情報及び第２の存在情報を含み、
前記送信部は、前記第１の存在情報を前記第１の移動体に送信するとともに、前記第２の存在情報を前記第２の移動体に送信し、
前記前記第２の存在情報は、前記第２の移動体の前記第２の処理部に、前記第２の存在情報に基づく前記他の存在情報を識別させることを特徴とする請求項１に記載の情報通知装置。
【請求項３】
前記第１の存在情報は、画像であり、
前記画像は、前記第１の移動体の前記第１の処理部に、前記第１の移動体の報知部での前記画像の表示を実行させることを特徴とする請求項２に記載の情報通知装置。
【請求項４】
前記第１の移動体及び前記第２の移動体の少なくとも１つからの要求情報を前記トリガー情報として受信する受信部を
さらに備え、
前記処理部は、前記要求情報に応じて、前記少なくとも１つの存在情報を生成することを特徴とする請求項１乃至３の何れか１項に記載の情報通知装置。
【請求項５】
前記少なくとも１つの存在情報は、共通の存在情報であり、
前記処理部は、前記共通の存在情報に、第１の識別情報及び第２の識別情報の両者を付加し、
前記第１の識別情報は、前記第１の移動体の第１の処理部に、前記共通の存在情報を前記第１の移動体の周辺の前記第２の移動体の存在を表す第１の存在情報に変換させることが可能であり、
前記他の存在情報は、
前記第２の識別情報は、前記第２の移動体の前記第２の処理部に、前記共通の情報を前記他の存在情報に変換させることが可能であることを特徴とする請求項１に記載の情報通知装置。
【請求項６】
ユーザからの操作情報をトリガー情報として受付可能な操作部を
さらに備え、
前記処理部は、前記操作情報に応じて、前記共通の存在情報を生成することを特徴とする請求項５に記載の情報通知装置。
【請求項７】
前記第１の移動体及び前記第２の移動体の少なくとも１つからの要求情報をトリガー情報として受信する受信部を
さらに備え、
前記処理部は、前記要求情報に応じて、前記共有の存在情報を生成することを特徴とする請求項５に記載の情報通知装置。
【請求項８】
前記情報通知装置は、車両の室内に携帯可能な携帯端末であることを特徴とする請求項１乃至７の何れか１項に記載の情報通知装置。
【請求項９】
前記情報通知装置は、車両のダッシュボード又は前記ダッシュボードの周辺に組み込まれた車載装置であることを特徴とする請求項１乃至７の何れか１項に記載の情報通知装置。
【請求項１０】
前記第１の移動体に配置され、前記第１の移動体の第１の処理部を有する第１の情報通知装置と、
前記第２の移動体に配置され、前記第２の移動体の前記第２の処理部を有する第２の情報通知装置と、
前記第１の移動体と前記第２の移動体との間に位置する第３の移動体に配置される請求項１乃至４の何れか１項に記載の前記情報通知装置である第３の情報通知装置と、
を備え、
前記第３の情報通知装置は、前記第２の情報通知装置からの第２の差出人情報を受信し、且つ前記第２の差出人情報に基づき前記少なくとも１つの存在情報を送信する情報通知システム。
【請求項１１】
前記第３の情報通知装置は、請求項２又は３に記載の前記通知装置であり、
前記第３の情報通知装置は、前記第１の情報通知装置からの第１の差出人情報を受信し、且つ前記第１の差出人情報に基づき前記第１の存在情報を送信することを特徴とする請求項１０に記載の情報通知システム。
【請求項１２】
前記第１の移動体に配置され、前記第１の移動体の前記第１の処理部を有する第１の情報通知装置と、
前記第２の移動体に配置され、前記第２の移動体の前記第１の処理部を有する第１の情報通知装置と、
前記第１の移動体と前記第２の移動体との間に位置する第３の移動体に配置される請求項５乃至７の何れか１項に記載の前記情報通知装置である第３の情報通知装置と、
を備え、
前記第１の情報通知装置は、前記第３の情報通知装置からの前記共有の存在情報、前記第１の識別情報及び前記第２の識別情報を受信し、前記第１の移動体が前記第１の識別情報に該当する時に、前記共有の存在情報を前記第１の存在情報に変換して、前記第１の存在情報を報知し、
前記第２の情報通知装置は、前記第３の情報通知装置からの前記共有の存在情報、前記第１の識別情報及び前記第２の識別情報を受信し、前記第１の移動体が前記第２の識別情報に該当する時に、前記共有の存在情報を前記第２の存在情報に変換して、前記第１の存在情報を報知ることを特徴とする請情報通知システム。
【請求項１３】
第１の移動体と第２の移動体との間の存在情報を生成する処理部と、
前記存在情報を前記第１の移動体に送信する送信部と、
を備え、
前記処理部は、前記存在情報に、第１の種別に関する第１の識別情報及び第２の種別に関する第２の識別情報の両者を付加し、
前記第１の識別情報及び前記第２の識別情報は、それぞれ、前記第１の移動体又は前記第２の移動体の一方の処理部に、前記第１の種別と前記第２の種別とを識別させることが可能であり、
前記第１の移動体又は前記第２の移動体の前記一方の種別が前記第１の種別と前記第２の種別とを識別させることが可能であり、
前記第１の移動体又は前記第２の移動体の前記一方の種別が前記第１の識別情報内の前記第１の種別に一致する時に、前記第１の識別情報は、前記第１の移動体又は前記第２の移動体の前記一方の前記処理部に、前記存在情報を前記第１の移動体又は前記第２の移動体の他方が前記第１の移動体又は前記第２の移動体の前記一方の周辺に存在していることを表す第１の存在情報に変換させることが可能であり、
前記第１の移動体と前記第２の移動体との間に位置する第３の移動体に配置されることを特徴とする情報通知装置。
【請求項１４】
トリガー情報に応じて第１の移動体と第２の移動体との間の少なくとも１つの存在情報を生成すること、
及び
前記少なくとも１つの存在情報を前記第１の移動体及び前記第２の移動体の両者に送信すること、
を含み、
前記少なくとも１つの存在情報は、前記第２の移動体の第２の処理部に、前記少なくとも１つの存在情報に基づく前記第２の移動体の周辺の前記第１の移動体の存在を表す他の存在情報を識別させることが可能であることを特徴とする情報通知方法。
【請求項１５】
コンピュータに
トリガー情報に応じて、第１の移動体と第２の移動体との間の少なくとも１つの存在情報を生成すること、
を実行させるための情報を前記第１の移動体及び前記第２の処理部に、前記少なくとも１つの存在情報に基づく前記第２に移動体の周辺の前記第１の移動体の存在を表す他の存在情報を識別させることが可能であることを特徴とする情報通知プログラム。
【発明の詳細な説明】
【技術分野】
【０００１】
本発明は、第１の移動体と第２の移動体とが接近する交通情報（例えば、四輪車と二輪車とが接近する交通状況を表す接近情報）等の存在情報を他の装置に通知する装置（情報通知装置）、その情報通知装置及び他の装置を備えるシステム（情報通知システム）、情報通知装置を作動させるための方法（情報通知方法）、並びに、情報通知方法を実行するためのプログラム（情報通知プログラム）等に関する。
【背景技術】
【０００２】
例えば特開２００９−１０４２３０号公報は、車両に設けられる車載通信装置と歩行者が所持する携帯電話装置とを備える人（歩行者）車間通信システムを開示し、他の車両も、車載通信装置を有している。他の車両の車載通信装置をさらに備える人（歩行者）車間通信システムは、車車間及び人（歩行者）車間通信システムと呼ぶことができる。【０００３】
また、特開２００９−１０４２３０号公報の図面は、例えば車両、他の車両等の車両から送信される車両走行情報の構成例を示し、車両走行情報は、例えば車両或いは他の車両を特定する番号である「自車ＩＤ」と、車両或いは他の車両の種別である「車両種別」と、車両或いは他の車両が位置する「緯度」、「経度」及び「高度」と、車両或いは他の車両の動作状態を特定する「車速」、「加速度」、「方向」、「ブレーキ」及び「アクセル」と、を含んでいる。同様に、特開２００９−１０４２３０号公報の図面は、例えば携帯電話装置又は例えば歩行者から送信される歩行者情報の構成例を示し、歩行者情報は、例えば携帯電話装置を特定する番号である「携帯ＩＤ」と、歩行者が位置する「緯度」及び「経度」と、歩行者の移動方向である「方向」と、を含んでいる。【０００４】
特開２００９−１０４２３０号公報の図面は、例えば車両の出力部を構成するディスプレイ及びスピーカでの出力情報の構成例を示している。車両走行情報が例えば他の車両から車両に送信されると、車両のディスプレイは、他の車両の位置として表示を出力するか、もしくは歩行者情報が例えば歩行者から車両に送信されると、歩行者の位置として表示を出力することができる。また、特開２００９−１０４２３０号公報によれば、車両のナビ制御部は、車両の位置と他の車両の位置との距離が所定値以下であり、且つ他の車両が車両に近づいているか否かを判定し、車両のスピーカは、「後ろから車両が接近しています。」という音声を出力することができる。【０００５】
このように、車両の車載通信装置は、他の車両の車載通信装置、歩行者の携帯電話装置等の他の装置から、その他の装置の位置を取得して、「後ろから車両が接近しています。」等の接近情報を出力するか否かを判定することができる。【０００６】
また、例えば特開２０００−３４８２９９号公報は、移動体通信装置を開示し、移動体通信装置の無線通信機は、移動体通信装置を搭載する車両の位置、進行方向、前方交差点、前方交差点までの到達時間等を含む状況データを他の装置に送信することができる。また、無線通信機は、その他の装置からその他の装置を搭載する他の車両の状況データ（位置、進行方向、前方交差点、前方交差点までの到達時間等）を受信することができる。【０００７】
また、特開２０００−３４８２９９号公報のコントローラは、例えば車両に搭載され、車両のコントローラは、車両及び例えば他の車両の両者が例えば交差点の近傍をほぼ同時に到達するか否かを推定して、警告等の接近情報を告知するか否かを判定することができる。
【発明の概要】
【０００８】
特開２００９−１０４２３０号公報及び特開２０００−３４８２９９号公報のいずれも、接近しつつある双方の車両の通信手段により、お互いが相手の接近を判断することを開示するものである。このように、特開２００９−１０４２３０号公報及び特開２０００−３４８２９９号公報において、接近しつつある双方の車両を表す交通状況が利用されているに過ぎない。本発明者は、このような双方の車両以外の車両からの情報を利用し得ることを認識した。即ち、本発明者は、接近しつつある双方の車両以外の車両が通信手段を備えているならばそのような車両も情報を発信し得ることを認識した。
【０００９】
本発明の１つの目的は、当事者の少なくとも一方の存在を表す存在情報を活用し得る情報通知装置、情報通知システム、情報通知方法及び情報通知プログラムを提供することである。本発明の他の目的は、以下に例示する態様及び最良の実施形態、並びに添付の図面を参照することによって、当業者に明らかになるであろう。
【００１０】
以下に、本発明の概要を容易に理解するために、本発明に従う態様を例示する。
【００１１】
第１の態様において、情報通知装置は、
トリガー情報に応じて、第１の移動体（例えば四輪車）と第２の移動体（例えば乗用型の電動カート、二輪車）との間の少なくとも１つの存在情報を生成する処理部と、
前記少なくとも１つの存在情報を前記第１の移動体及び前記第２の移動体の両者に送信する送信部と、
を備え、
前記少なくとも１つの存在情報は、前記第２の移動体（電動カート、二輪車）の第２の処理部に、前記少なくとも１つの存在情報に基づく前記第２の移動体の周辺の前記第１の移動体（四輪車）の存在を表す他の存在情報を識別させることが可能である。
【００１２】
接近しつつある第１の移動体及び第２の移動体の双方に、第１の移動体及び第２の移動体の双方間の少なくとも１つの存在情報を生成する処理部を備える情報通知装置が搭載されていない時に、その情報通知装置の送信部は、少なくとも１つの存在情報を送信し得る。言い換えれば、接近しつつある第１の移動体（例えば四輪車）及び第２の移動体（例えば電動カート）以外の車両（例えば四輪車又は例えば商用車又は例えば大型四輪車又は例えばバス）に情報通知装置が搭載されている時に、接近しつつある双方の車両以外の車両(例えばバス)は、接近しつつある双方の車両の少なくとも一方（例えば四輪車）の存在を表す存在情報を生成し、それを双方の車両の少なくとも他方（例えば電動カート）に送信することができる。このように、情報通知装置は、存在情報を活用し得る。
【００１３】
代替的に、接近しつつある第１の移動体（例えば四輪車）及び第２の移動体（例えば二輪）以外の車両（例えば四輪車）に情報通知装置が搭載されている時に、その情報通知装置のユーザ（接近しつつある第１の移動体の運転者及び第２の移動体の運転者の双方（当事者）以外の第三者）は、情報通知装置に、接近情報等の存在情報を生成させ、且つ接近情報等の存在情報を四輪車及び二輪車の両者に送信させることができる。このように、情報通知装置は、存在情報を活用し得る。
【００１４】
第１の態様に従属する第２の態様において、前記少なくとも１つの存在情報は、第１の存在情報及び第２の存在情報を含んでもよく、
前記送信部は、前記第１の存在情報を前記第１の移動体に送信するとともに、前記第２の存在情報を前記第２の移動体に送信してもよく、
前記前記第２の存在情報は、前記第２の移動体の前記第２の処理部に、前記第２の存在情報に基づく前記他の存在情報を識別させてもよい。
【００１５】
接近しつつある第１の移動体（例えば四輪車）及び第２の移動体（例えば電動カート）以外の車両（例えば四輪車又は例えば商用車又は例えば大型四輪車又は例えばバス）に情報通知装置が搭載されている時に、接近しつつある双方の車両以外の車両(例えばバス)は、接近しつつある双方の車両の少なくとも一方（例えば四輪車）の存在を表す存在情報（第２の存在情報）を生成し、それを双方の車両の少なくとも他方（例えば電動カート）に送信することができる。また、接近しつつある双方の車両以外の車両(例えばバス)は、接近しつつある双方の車両の少なくとも他方（例えば電動カート）の存在を表す存在情報（第１の存在情報）を生成し、それを双方の車両の少なくとも一方（例えば四輪車）に送信することができる。
【００１６】
第２の態様に従属する第３の態様において、前記第１の存在情報は、画像であってもよく、
前記画像は、前記第１の移動体の前記第１の処理部に、前記第１の移動体の報知部での前記画像の表示を実行させてもよい。
【００１７】
接近しつつある双方の車両の少なくとも一方（例えば四輪車）は、接近しつつある双方の車両の少なくとも他方（例えば電動カート）の存在を表す画像（第１の存在情報）を表示させることができる。
【００１８】
第１乃至第の３態様の何れか１つに従属する第４の態様において、情報通知装置は、
前記第１の移動体及び前記第２の移動体の少なくとも１つからの要求情報を前記トリガー情報として受信する受信部を
さらに備えてもよく、
前記処理部は、前記要求情報に応じて、前記少なくとも１つの存在情報を生成してもよい。
【００１９】
接近しつつある双方の車両の少なくとも一方（例えば四輪車）及び／又は他方（例えば電動カート）からの要求がトリガーを構成し、これにより、接近しつつある双方の車両の少なくとも一方（例えば四輪車）の存在を表す存在情報（少なくとも１つの存在情報又は第２の存在情報）が生成される。
【００２０】
第１の態様に従属する第５の態様において、前記少なくとも１つの存在情報は、共通の存在情報であってもよい。
第５の態様において、具体的には、情報通知装置は、
第１の移動体（例えば四輪車）と第２の移動体（例えば二輪車）との間の接近情報等の共通の存在情報を生成する処理部と、
前記接近情報等の共通の存在情報を前記第１の移動体（四輪車）及び前記第２の移動体（二輪車）の両者に送信する送信部と、
を備え、
前記処理部は、前記接近情報等の共通の存在情報に、第１の識別情報及び第２の識別情報の両者を付加し、
前記第１の識別情報は、前記第１の移動体（四輪車）の第１の処理部に、前記接近情報等の共通の存在情報を前記第２の移動体（二輪車）から前記第１の移動体（四輪車）への第１の接近情報等の第１の存在情報に変換させることが可能であり、
前記第２の識別情報は、前記第２の移動体（二輪車）の第２の処理部に、前記接近情報等の共通の存在情報を前記第１の移動体（四輪車）から前記第２の移動体（二輪車）への第２の接近情報等の第２の存在情報（他の存在情報）に変換させることが可能である。
【００２１】
第１の移動体と第２の移動体とが接近する交通情報、例えば、四輪車と二輪車との間の接近情報等の共通の存在情報は、例えば２００９−１０４２３０号公報の車載通信装置、特開２０００−３４８２９９号公報のコントローラ等のように、四輪車自身又は二輪車自身の処理部で生成することも可能である。しかしながら、例えば四輪車自身の処理部が接近情報を生成する時点よりも前に、四輪車（第１の移動体）、二輪車（第２の移動体）以外の例えば第３の移動体の運転者（観察者）、同乗者（観察者）、或いは、四輪車（第１の移動体）又は二輪車（第２の移動体）の近くに位置する歩行者（観察者）等が接近情報等の共通の存在情報に気づくことがある。このような観測者（当事者以外の第三者）が情報通知装置のユーザである時に、情報通知装置は、接近情報等の共通の存在情報を生成し、接近情報等の共通の存在情報を四輪車及び二輪車の両者に送信することができる。
【００２２】
ここで、情報通知装置の送信部は、接近しつつある四輪車（第１の移動体）及び二輪車（第２の移動体）の双方の情報である第１の識別情報及び第２の識別情報を接近情報等の共通の存在情報に含めて送信している。これにより、観測者（当事者以外の第三者）は、煩わしい操作を伴うことなく、これらの情報を送信することができる。
【００２３】
また、これらの情報を受信する四輪車（第１の移動体）側及び二輪車（第２の移動体）側の各々も、必要な情報を選別して接近情報等の存在情報（第１の存在情報又は第２の存在情報）を報知又は出力することができる。これにより、四輪車（第１の移動体）の例えば運転者（当事者）及び二輪車（第２の移動体）の例えば運転者（当事者）は、煩わしい操作を伴うことなく、接近情報を受信することができる。
【００２４】
第５の態様に従属する第６の態様において、トリガー情報は、操作情報であってもよい。
第６の態様において、具体的には、情報通知装置は、
ユーザからの操作情報を受付可能な操作部を
さらに備えてもよく、
前記処理部は、前記操作情報に応じて、前記接近情報等の共通の存在情報を生成してもよい。
【００２５】
四輪車（第１の移動体）の位置及び二輪車（第２の移動体）の位置よりも好ましい位置にいるユーザ（観察者）が、現在時刻から直ぐ後の交通状況についてより早く予想できることがある。具体的には、その好ましい位置にいるユーザ（観察者）であれば、四輪車と二輪車とが今以上に接近するであろうことを瞬時に予測し、その気づきを接近しつつある四輪車（第１の移動体）の位置及び二輪車（第２の移動体）の双方に直ぐに通知したいことがある。このとき、その好ましい位置にいるユーザ（観察者）の情報通知装置は、接近しつつある四輪車（第１の移動体）及び二輪車（第２の移動体）の双方の情報である第１の識別情報及び第２の識別情報を接近情報等の共通の存在情報に含めて送信している。これにより、観測者（当事者以外の第三者）は、煩わしい操作を伴うことなく、これらの情報を送信することができる。また、これらの情報を受信する四輪車（第１の移動体）側及び二輪車（第２の移動体）側の各々も、これらの情報を受信し、且つ活用することができる。
【００２６】
第５の態様に従属する第７の態様において、トリガー情報は、要求情報であってもよい。
第７の態様において、具体的には、情報通知装置は、
前記第１の移動体及び前記第２の移動体の少なくとも１つからの要求情報を受信する受信部を
さらに備えてもよく、
前記処理部は、前記要求情報に応じて、前記接近情報等の共通の存在情報を生成してもよい。
【００２７】
例えば第３の移動体に配置される情報通知装置（即ち機械）は、例えば第１の移動体からの要求情報に応じて、第１の移動体が何か（例えば第２の移動体）に接近している可能性を自動的に気づくことができる。これを契機として、例えば第３の移動体の情報通知装置は、接近情報等の共通の存在情報を生成することができる。言い換えれば、第３の態様では、接近情報の生成には、観測者の操作は必ずしも必要とされない。
【００２８】
第１乃至第の７態様の何れか１つに従属する第８の態様において、情報通知装置は、
前記情報通知装置は、車両の室内に携帯可能な携帯端末であってもよい。
【００２９】
情報通知装置が携帯端末で構成されるので、情報通知装置（携帯端末）のユーザの利便性が向上することができる。
【００３０】
第１乃至第の７態様の何れか１つに従属する第９の態様において、情報通知装置は、
車両のダッシュボード又は前記ダッシュボードの周辺に組み込まれた車載装置であってもよい。
【００３１】
情報通知装置が車載装置で構成されるので、情報通知装置（車載装置）のユーザであれば、誰でも、情報通知装置（車載装置）を利用することができる。
【００３２】
第９の態様において、情報通知システムは、
前記第１の移動体（四輪車）に配置され、前記第１の移動体の前記処理部を有する第１の情報通知装置と、
前記第２の移動体（電動カート）に配置され、前記第２の移動体の前記処理部を有する第２の情報通知装置と、
前記第１の移動体（四輪車）と前記第２の移動体（電動カート）との間に位置する第３の移動体（中間移動体）に配置され、且つ第１乃至第４態様の何れか１つに従属する前記情報通知装置である第３の情報通知装置と、
を備え、
前記第３の情報通知装置は、前記第２の情報通知装置からの第２の差出人情報を受信し、且つ前記第２の差出人情報に基づき前記少なくとも１つの存在情報を送信する。
【００３３】
接近しつつある第１の移動体（例えば四輪車）及び第２の移動体（例えば電動カート）以外の車両（例えば四輪車又は例えば商用車又は例えば大型四輪車又は例えばバス）に情報通知装置が搭載されている時に、接近しつつある双方の車両以外の車両(例えばバス)は、接近しつつある双方の車両の他方（例えば電動カート）からの第２の差出人情報を受信し、それに基づき、接近しつつある双方の車両の一方（例えば四輪車）の存在情報を例えば電動カートに送信することができる。
【００３４】
第９の態様に従属する第１０の態様において、前記第３の情報通知装置は、第２又は第３の態様の前記情報通知装置であってもよく、
前記第３の情報通知装置は、前記第１の情報通知装置からの第１の差出人情報を受信し、且つ前記第１の差出人情報に基づき前記第１の存在情報を生成してもよい。
【００３５】
接近しつつある第１の移動体（例えば四輪車）及び第２の移動体（例えば電動カート）以外の車両（例えば四輪車又は例えば商用車又は例えば大型四輪車又は例えばバス）に情報通知装置が搭載されている時に、接近しつつある双方の車両以外の車両(例えばバス)は、接近しつつある双方の車両の一方（例えば四輪車）からの第１の差出人情報を受信し、それに基づき、接近しつつある双方の車両の一方（例えば電動カート）の存在情報に例えば四輪車に送信することができる。
【００３６】
第１１の態様において、情報通知システムは、
前記第１の移動体（四輪車）に配置され、前記第１の移動体の前記処理部を有する第１の情報通知装置と、
前記第２の移動体（二輪車）に配置され、前記第２の移動体の前記処理部を有する第２の情報通知装置と、
前記第１の移動体（四輪車）と前記第２の移動体（二輪車）との間に位置する第３の移動体（中間移動体）に配置され、且つ第５乃至第７態様の何れか１つに従属する前記情報通知装置である第３の情報通知装置と、
を備え、
前記第１の情報通知装置は、前記第３の情報通知装置からの前記接近情報等の共通の存在情報、前記第１の識別情報及び前記第２の識別情報を受信し、前記第１の移動体（四輪車）が前記第１の識別情報に該当する時に、前記接近情報等の共通の存在情報を前記第１の接近情報等の第１の存在情報に変換して、前記第１の接近情報等の第１の存在情報を報知し、
前記第２の情報通知装置は、前記第３の情報通知装置からの前記接近情報等の共通の存在情報、前記第１の識別情報及び前記第２の識別情報を受信し、前記第２の移動体（二輪車）が前記第２の識別情報に該当する時に、前記接近情報等の共通の存在情報を前記第２の接近情報等の第２の存在情報に変換して、前記第２の接近情報等の第２の存在情報を報知する。
【００３７】
第１の移動体と第２の移動体とが接近する交通情報、例えば、四輪車と二輪車との間の接近情報等の共通の存在情報は、当事者の情報通知装置（第１の情報通知装置及び第２の情報通知装置）で生成することも可能である。しかしながら、当事者の情報通知装置（第１の情報通知装置及び第２の情報通知装置）が接近情報等の共通の存在情報を生成する時点よりも前に、当事者以外の第三者の情報通知装置（第３の情報通知装置）は、接近情報等の共通の存在情報を早く生成できることがある。
【００３８】
第１２の態様において、情報通知装置は、
第１の移動体（四輪車）と第２の移動体（二輪車）との間の接近情報等の存在情報を生成する処理部と、
前記接近情報の存在情報を前記第１の移動体（四輪車）に送信する送信部と、
を備え、
前記処理部は、前記接近情報等の存在情報に、第１の種別（第１の移動体の種別）に関する第１の識別情報及び第２の種別（第２の移動体の種別）に関する第２の識別情報の両者を付加し、
前記第１の識別情報及び前記第２の識別情報は、それぞれ、前記第１の移動体（四輪車）又は前記第２の移動体（二輪車）の一方の処理部に、前記第１の種別（第１の移動体の種別）と前記第２の種別（第２の移動体の種別）とを識別させることが可能であり、
前記第１の移動体（四輪車）又は前記第２の移動体（二輪車）の前記一方の種別が前記第１の識別情報内の前記第１の種別に一致する時に、前記第１の識別情報は、前記第１の移動体（四輪車）又は前記第２の移動体（二輪車）の前記一方の前記処理部に、前記接近情報等の存在情報を前記第１の移動体（四輪車）又は前記第２の移動体（二輪車）の他方が前記第１の移動体（四輪車）又は前記第２の移動体（二輪車）の前記一方の周辺に存在していることを表す第１の存在情報に変換させることが可能であり、
前記第１の移動体（四輪車）と前記第２の移動体（二輪車）との間に位置する第３の移動体に配置される。
【００３９】
例えば四輪車（第１の移動体）自身が接近情報等の存在情報を生成する時点よりも前に、四輪車（第１の移動体）及び二輪車（第２の移動体）以外の第３の移動体の運転者（観察者）、同乗者（観察者）が接近情報等の存在情報に気づくことがある。このような観測者が情報通知装置のユーザである時に、情報通知装置は、接近情報等の存在情報を生成し、接近情報等の存在情報を四輪車に送信することができる。
【００４０】
ここで、情報通知装置の送信部は、接近しつつある四輪車（第１の移動体）及び二輪車（第２の移動体）の双方の情報である第１の識別情報及び第２の識別情報を接近情報等の存在情報に含めて送信している。これにより、観測者（当事者以外の第三者）は、煩わしい操作を伴うことなく、これらの情報を送信することができる。また、これらの情報を受信する四輪車（第１の移動体）側も、必要な情報を選別して接近情報等の存在情報を報知又は出力することができる。これにより、四輪車（第１の移動体）の例えば運転者（当事者）は、煩わしい操作を伴うことなく、接近情報等の存在情報を受信することができる。
【００４１】
第１３の態様において、情報通知方法は、
トリガー情報に応じて、第１の移動体（四輪車）と第２の移動体（二輪車又は電動カート）との間の少なくとも１つの存在情報を生成すること、
及び
前記少なくとも１つの存在情報を前記第１の移動体（四輪車）及び前記第２の移動体（二輪車又は電動カート）の両者に送信すること、
を含み、
前記少なくとも１つの存在情報は、前記第２の移動体の第２の処理部に、前記少なくとも１つの存在情報に基づく前記第２の移動体の周辺の前記第１の移動体の存在を表す他の存在情報を識別させる。
【００４２】
接近しつつある第１の移動体（例えば四輪車）及び第２の移動体（例えば電動カート）以外の車両（例えば四輪車又は例えば商用車又は例えば大型四輪車又は例えばバス）に情報通知方法を実行可能な情報通知装置が搭載されている時に、接近しつつある双方の車両以外の車両(例えばバス)は、接近しつつある双方の車両の少なくとも一方（例えば四輪車）の存在を表す存在情報を生成し、それを双方の車両の少なくとも他方（例えば電動カート）に送信することができる。このように、情報通知方法は、存在情報を活用し得る。
【００４３】
代替的に、第１の移動体と第２の移動体とが接近する交通情報、例えば、四輪車と二輪車との間の接近情報等の少なくとも１つの存在情報は、四輪車自身又は二輪車自身の処理部で生成することも可能である。しかしながら、四輪車、二輪車以外の例えば第３の移動体の運転者（観察者）、同乗者（観察者）、或いは、四輪車又は二輪車の近くに位置する歩行者（観察者）等が接近情報等の少なくとも１つの存在情報に気づくことがある。情報通知方法は、このような観測者からの操作情報に応じて、或いは、自動的に、接近情報等の少なくとも１つの存在情報を生成し、接近情報等の少なくとも１つの存在情報を四輪車及び二輪車の両者に送信することができる。
【００４４】
ここで、情報通知装置の送信部は、接近しつつある四輪車（第１の移動体）及び二輪車（第２の移動体）の双方の情報である第１の識別情報及び第２の識別情報を接近情報等の少なくとも１つの存在情報に含めて送信している。これにより、観測者（当事者以外の第三者）は、煩わしい操作を伴うことなく、これらの情報を送信することができる。また、これらの情報を受信する四輪車（第１の移動体）側及び二輪車（第２の移動体）側の各々も、これらの情報を受信し、且つ活用することができる。
【００４５】
第１４の態様において、情報通知プログラムは、
コンピュータに、
トリガー情報に応じて、第１の移動体（四輪車）と第２の移動体（二輪車又は電動カート）との間の少なくとも１つの存在情報を生成すること、
及び
前記少なくとも１つの存在情報を前記第１の移動体（四輪車）及び前記第２の移動体（二輪車）の両者に送信すること、
を実行させるための情報通知プログラムであり、
前記少なくとも１つの存在情報は、前記第２の移動体の第２の処理部に、前記少なくとも１つの存在情報に基づく前記第２の移動体の周辺の前記第１の移動体の存在を表す他の存在情報を識別させる。
【００４６】
接近しつつある第１の移動体（例えば四輪車）及び第２の移動体（例えば電動カート）以外の車両（例えば四輪車又は例えば商用車又は例えば大型四輪車又は例えばバス）に情報通知プログラムを実行可能な情報通知装置が搭載されている時に、接近しつつある双方の車両以外の車両(例えばバス)は、接近しつつある双方の車両の少なくとも一方（例えば四輪車）の存在を表す存在情報を生成し、それを双方の車両の少なくとも他方（例えば電動カート）に送信することができる。このように、情報通知プログラムは、存在情報を活用し得る。
【００４７】
加えて、第１の識別情報及び第２の識別情報を接近情報等の少なくとも１つの存在情報に付加する情報通知プログラムであれば、その情報通知プログラムを備えるコンピュータのユーザは、煩わしい操作を伴うことなく、このような情報を生成できる。
【００４８】
当業者は、例示した本発明に従う態様が、本発明の精神を逸脱することなく、さらに変更され得ることを容易に理解できるであろう。
【図面の簡単な説明】
【００４９】
【図１】図１は、本発明に従う情報通知装置又は情報通知システムの構成例を示す。
【図２】図２（Ａ）及び図２（Ｂ）の各々は、四輪車と二輪車との位置関係の説明図を示す。
【図３】送信型の情報通知装置（第３の情報通知装置）によって生成される通知情報の構成例を示す。
【図４】図４（Ａ）は、送信型の情報通知装置のディスプレイの表示例を示し、図４（Ｂ）及び図４（Ｃ）の各々は、受信型の情報通知装置（第１の情報通知装置）のディスプレイの表示例を示し、図４（Ｄ）は、受信型の他の情報通知装置（第２の情報通知装置）のディスプレイの表示例を示す。
【図５】送信型の情報通知装置の動作例を表すフローチャートを示す。
【図６】受信型の情報通知装置の動作例を表すフローチャートを示す。
【図７】図７（Ａ）は、四輪車と電動カートとの位置関係の説明図を示し、図７（Ｂ）は、四輪車と歩行者との位置関係の説明図を示す。
【図８】図８（Ａ）は、四輪車と電動カートとの他の位置関係の説明図を示し、図８（Ｂ）は、四輪車と四輪車との位置関係の説明図を示す。
【図９】図９（Ａ）及び図９（Ｅ）の各々は、能動型の情報通知装置（第２の情報通知装置）のディスプレイの表示例を示し、図９（Ｂ）、図９（Ｃ）及び図９（Ｄ）の各々は、能動型の情報通知装置（第１の情報通知装置）のディスプレイの表示例を示し、図９（Ｆ）は、図９（Ｂ）〜図９（Ｄ）の他の表示例を示す。
【図１０】受動型の情報通知装置（第３の情報通知装置）の動作例を表すフローチャートを示す。
【図１１】図１１（Ａ）及び図１１（Ｂ）の各々は、能動型の情報通知装置の動作例を表すフローチャートを示す。
【発明を実施するための形態】
【００５０】
以下に説明する最良の実施形態は、本発明を容易に理解するために用いられている。従って、当業者は、本発明が、以下に説明される実施形態によって不当に限定されないことを留意すべきである。
【００５１】
（第１の実施形態）
【００５２】
図１は、本発明に従う情報通知装置又は情報通知システムの構成例を示す。図１に示されるように、情報通知システム４０は、例えば３つの情報通知装置１０，２０，３０で構成することができる。但し、情報通知システム４０は、例えば２つの情報通知装置１０，２０だけで構成されてもよく、或いは、図示されない他の情報通知装置をさらに含む例えば４つ以上の情報通知装置１０，２０，３０で構成されてもよい。また、３つの情報通知装置１０，２０，３０の各々は、図１に示される構成要素をすべて備えなくてもよく、或いは、図示されない構成要素を追加してもよい。言い換えれば、図１は、例示的な実施形態を示しているに過ぎず、本発明の少なくとも１つの目的に応じて、情報通知装置の少なくとも１つの構成要素を選択又は決定することができる。
【００５３】
図１の情報通知装置１０は、通知情報（図３参照）を情報通知装置２０，３０に送信することができる。また、３つの情報通知装置１０，２０，３０の各々が通知情報を送信又は受信する通信方式は、インターネット、３Ｇ等の回線を利用する回線型の無線通信方式であってもよいが、回線を利用しない無線通信方式、特に、回線を利用しない近距離無線通信方式であることが好ましい。回線を利用しない近距離無線通信方式は、例えばIEEE802によって規定されているＷｉＦｉ（wireless fidelity）である。また、回線を利用しないＷｉＦｉのような近距離通信方式によれば、情報通知システム４０は、通知情報を中継するサーバ（図示せず）を備える必要がない。言い換えれば、サーバを経由しない通知情報の到達時間がサーバを経由する通知情報の到達時間よりも短縮される。
【００５４】
また、図１の情報通知装置１０は、通知情報を情報通知装置２０，３０に送信する一方、情報通知装置２０，３０の各々は、通知情報を受信する。従って、情報通知装置２０，３０の各々は、受信型の情報通知装置と呼ぶことができる。また、情報通知装置１０は、送信型の情報通知装置と呼ぶことができる。なお、例えば３つの情報通知装置１０，２０，３０が１つのグループを形成している。
【００５５】
図１の情報通知装置１０は、例えば処理部１１及び送信部１６を備え、処理部１１は、情報通知装置２０を有する例えば四輪車（自動車：automobile）２００（例えば図２（Ａ）参照）と情報通知装置３０を有する例えば二輪車（オートバイ：motorcycle）３００（例えば図２（Ａ）参照）との間の接近情報を生成する。また、送信部１６は、接近情報を四輪車２００（受信部２７）及び二輪車３００（受信部３７）の両者に送信する。なお、処理部１１は、四輪車２００及び二輪車３００が互いに接近していることを表す接近情報（図３のＭＥＳＳＡＧＥ１０）に、第１の識別情報及び第２の識別情報の両者（図３のＣＬＡＳＳ２０及びＣＬＡＳＳ３０）を付加することができる。
【００５６】
ここで、第１の識別情報は、例えば２つの接近する移動体のうちの一方（第１の移動体）用の識別情報であることが想定され、記憶部１３に予め記憶される第１の識別情報は、四輪車２００（処理部２１）に、受信部２７で受信された接近情報を二輪車３００の四輪車２００への第１の接近情報に変換させることが可能である。また、第２の識別情報は、２つの接近する移動体のうちの他方（第２の移動体）用の識別情報であることが想定され、記憶部１３に予め記憶される第２の識別情報は、二輪車３００（処理部３１）に、受信部３７で受信された接近情報を四輪車２００の二輪車３００への第２の接近情報に変換させることが可能である。例えば図２（Ａ）を参照するに、第１の移動体は、四輪車２００であり、第２の移動体は、二輪車３００であり、四輪車２００に配置される処理部２１は、二輪車３００の接近（第１の接近情報）を認識することができる。一方、二輪車３００に配置される処理部３１は、四輪車２００の接近（第２の接近情報）を認識することができる。このように、記憶部１３に予め記憶される第１の識別情報が想定する移動体（第１の移動体）は、記憶部１３に予め記憶される第２の識別情報が想定する移動体（第２の移動体）と異なる。
【００５７】
四輪車２００（第１の移動体）、二輪車３００（第２の移動体）以外の例えば第３の移動体１００（例えば図２（Ａ）において四輪車）の運転者、同乗者等の観察者は、四輪車２００と二輪車３００との間の接近を早く気づくことがある。このような観測者が情報通知装置１０のユーザである時に、情報通知装置１０の処理部１１は、接近情報を生成し、接近情報を四輪車２００及び二輪車３００の両者に送信することができる。
【００５８】
図１の情報通知装置１０は、例えば操作部１４をさらに備えることができる。操作部１４は、ユーザ（観察者）からの操作情報を受付可能である。ユーザが操作部１４を操作する（例えば選択する、押す、クリックする等）時に、操作情報は、ユーザが操作部１４を操作したことを表すことができる。ここで、ユーザが操作部１４を接触式で操作してもよく、或いは、ユーザは、操作部１４を非接触式で、ユーザの身体を用いてジェスチャーする（例えば例えば手又は指等をかざす、動かす）ことによって、操作部１４を操作してもよい。処理部１１は、操作部１４からの操作情報に応じて、接近情報を生成することができる。具体的には、ユーザが四輪車２００と二輪車３００との間の接近を気づき、その後に例えば「気づき」ボタン１４−１（図４（Ａ）参照）を１回接触する時に、処理部１１は、接近情報に記憶部１３に予め記憶される第１の識別情報及び第２の識別情報を追加して、通知情報を生成することができる。
【００５９】
例えば、ユーザ（観察者）が四輪車２００（第１の移動体）の位置及び二輪車３００（第２の移動体）の位置よりも好ましい位置にいる時に、そのユーザ（観察者は、現在時刻から直ぐ後の交通状況についてより早く予想できることがある。具体的には、その好ましい位置にいるユーザ（観察者）であれば、四輪車２００と二輪車３００とが今以上に接近するであろうことを瞬時に予測し、その気づきを接近しつつある四輪車２００の位置及び二輪車３００の双方に直ぐに通知したいことがある。このとき、その好ましい位置にいるユーザ（観察者）の情報通知装置１０は、接近しつつある四輪車２００及び二輪車３００の双方の情報である第１の識別情報及び第２の識別情報を接近情報に含めて送信している。これにより、観測者（当事者以外の第三者）は、煩わしい操作を伴うことなく、これらの情報を送信することができる。また、これらの情報を受信する四輪車（第１の移動体）側及び二輪車（第２の移動体）側の各々も、これらの情報を受信し、且つ活用することができる。
【００６０】
図１の情報通知装置１０は、例えば取得部１５をさらに備えることができる。取得部１５は、例えばＧＰＳ等で構成され、そのＧＰＳは、情報通知装置１０に内蔵されてもよく、或いは、情報通知装置１０の外部に配置されてもよい。図１の情報通知装置１０は、例えばいわゆるスマートフォン、タブレット型のＰＣ等の携帯端末（図４（Ａ）参照）であってもよく、ナビゲーション装置等の車載装置であってもよい。情報通知装置１０が携帯端末で構成される時に、情報通知装置１０（携帯端末）のユーザの利便性が向上することができる。代替的に、情報通知装置１０が車載装置で構成される時に、情報通知装置１０（車載装置）のユーザであれば、誰でも、情報通知装置１０（車載装置）を利用することができる。
【００６１】
具体的には、情報通知装置１０が例えば四輪車２００の例えば室内に持ち込まれる携帯端末である時に、その携帯端末（情報通知装置１０）は、携帯端末（情報通知装置１０）に内蔵されるＧＰＳを利用してもよく、或いは、例えば四輪車２００の例えばダッシュボード（インストルメントパネル）に配置されるナビゲーション装置（いわゆるインダッシュ型のナビゲーション装置（ダッシュボードの内部に組み込まれたナビゲーション装置）及びいわゆるオンダッシュ型のナビゲーション装置（ダッシュボードの表面に着脱自在に取り付けたナビゲーション装置、ダッシュボードの表面に例えばクレードルを介して固定されるナビゲーションアプリケーションプログラムを有するスマートフォン）を含む）に内蔵されるＧＰＳ又はダッシュボードの周辺（周辺車載装置）に内蔵されるＧＰＳを利用してもよい。ここで、携帯端末（情報通知装置１０）は、ナビゲーション装置と有線又は無線で接続されていることが好ましく、これにより、携帯端末（情報通知装置１０）は、高い精度を有する位置情報を利用することができる。また、図１のアンテナ部１８（携帯端末）は、ＧＰＳアンテナを内蔵してもよい。
【００６２】
代替的に、情報通知装置１０が例えば自動車（四輪車２００）の例えばダッシュボードに配置されるナビゲーション装置である時に、そのナビゲーション装置（情報通知装置１０）は、例えばナビゲーション装置（情報通知装置１０）に内蔵されるＧＰＳを利用することができる。また、ＧＰＳアンテナ（アンテナ部１８）は、例えばナビゲーション装置（情報通知装置１０）と接続され、且つ四輪車２００の例えばフロントガラス（ウインドシールド）に配置されてもよい。
【００６３】
図１の情報通知装置１０は、例えば記憶部１２をさらに備えることができる。記憶部１２は、処理部１１が様々な処理を実行する時の情報又はデータを一時的に記憶するワーク領域として機能してもよく、処理部１１（コンピュータ）に様々な処理（情報通知方法）を実行させるための情報通知アプリケーションプログラム（情報通知プログラム）がインストール又は記憶される領域として機能してもよい。このような記憶部１２は、例えばＲＡＭ、ＥＥＰＲＯＭ、ＳＳＤ等のメモリ、ＨＤＤ等のディスク等で構成される。なお、情報通知アプリケーションプログラム（情報通知プログラム）は、情報通知アプリケーションプログラム（情報通知プログラム）を記録又は保存した記録媒体（例えばＦＤＤ、ＳＤカード、ＵＳＢメモリ等）であってコンピュータ（処理部１１）が読み取り可能な記録媒体から記憶部１２にインストール又はコピーされてもよい。もちろん、このような記録媒体が情報通知装置１０に挿入又は装着される状態で、処理部１１（コンピュータ）は、記録媒体に保存される情報通知アプリケーションプログラム（情報通知プログラム）を実行してもよい。
【００６４】
また、記憶部１２は、四輪車２００を目的地に走行ルートで誘導するナビゲーションアプリケーションプログラム（ナビゲーションプログラム）をさらに記憶してもよく、処理部１１（コンピュータ）は、ナビゲーションアプリケーションプログラム（ナビゲーションプログラム）を実行することができる。
【００６５】
図１の情報通知装置１０は、例えば報知部１３をさらに備えることができる。報知部１３は、例えばディスプレイ、スピーカ等で構成される。報知部１３は、処理部１１が様々な処理を実行する時の情報又はデータをユーザに報知又は出力することができる。なお、情報通知装置１０が例えばタッチパネル式のディスプレイを備える時に、タッチパネル式のディスプレイは、報知部１３（ディスプレイ）及び操作部１４（ソフトウエアボタン）として機能する。加えて、操作部１４がユーザのジェスチャー動作を認識するモーション認識を有する時に、例えばカメラで構成される操作部１４は、例えばディスプレイの周辺に配置することができる。
【００６６】
図１の情報通知装置１０は、例えば受信部１７をさらに備えることができる。受信部１７は、情報又はデータを受信することができる。受信部１７及び送信部１８は、通信部を形成し、通信部は、ＷｉＦｉＤｉｒｅｃｔモジュール、Ｂｌｕｅｔｏｏｔｈ（登録商標）モジュール、携帯電話モジュール、ＵＳＢモジュール等で構成される。アンテナ部１８は、例えば送信用アンテナ及び受信用アンテナを有し、通信部１８が複数のモジュールを有する時に、アンテナ部１８は、複数のモジュールで共用可能なアンテナであってもよく、或いは、それぞれが複数のモジュールのうちの対応するモジュールで利用可能な複数のアンテナであってもよい。また、通信部の通信エリアの範囲又は広さは、例えばアンテナ部１８の能力と、アンテナ部１８を介して出力される電波の強度を決定する送信部１８の出力（消費電力）とに依存する。
【００６７】
図１の情報通知装置１０は、例えば電源部１７をさらに備えることができる。電源部１７は、例えばバッテリ、変圧器等で構成される。情報通知装置１０が携帯端末である時に、その携帯端末（情報通知装置１０）は、例えばリチウムイオンバッテリを内蔵することができ、リチウムイオンバッテリの電源で、処理部１１、送信部１６等の構成要素は、作動することができる。情報通知装置１０が車載装置である時に、その車載装置（情報通知装置１０）は、車両バッテリの電源電圧又はＡＣＣの電源電圧を処理部１１、送信部１６等の構成要素の動作電圧に変換する変圧器を内蔵することができる。
【００６８】
図１の情報通知装置２０，３０の各々は、情報通知装置１０の構成と同様の構成を備えることができ、情報通知装置２０，３０は、電源部２９，３９からの電力で起動可能である。但し、情報通知装置２０，３０は、例えば以下のように作動する。情報通知装置２０，３０は、情報通知装置１０からの接近情報、第１の識別情報、第２の識別情報等を例えば受信部２７，３７及びアンテナ部２８，３８で受信するとともに、接近情報を例えば処理部２１，３１及び記憶部２２，３２で加工して、加工された接近情報を例えば報知部２３，３３でユーザ（例えば四輪車２００の運転者、例えば二輪車３００の運転者等）に報知することができる。
【００６９】
図２（Ａ）及び図２（Ｂ）の各々は、四輪車２００と二輪車３００との位置関係の説明図を示す。例えば図２（Ａ）に示されるように、図１の情報通知装置１０は、四輪車２００（第１の移動体）、二輪車３００（第２の移動体）以外の例えば四輪車である第３の移動体１００（中間移動体）の内部に配置され、情報通知装置１０が四輪車２００と二輪車３００との間に位置している。第３の移動体１００及び四輪車２００は、交差点を挟んで、互いに対向している。図２（Ａ）において、四輪車２００が位置する車線は、二輪車３００及び第３の移動体１００が位置する２つの車線（交差点の先に位置する部分）の隣であるが、例えば単一の車線上に、四輪車２００、二輪車３００及び第３の移動体１００が位置してもよい。
【００７０】
また、図２（Ａ）において、第３の移動体１００の前方に四輪車２００が位置し、第３の移動体１００の後方に二輪車３００が位置している。第３の移動体１００は、例えば右折する予定であるが、第３の移動体１００は、例えば進行方向の状況を考慮して、停止している。また、四輪車２００は、例えば右折するために前進しようとしている。例えば走行中の二輪車３００は、そのままの状態で直進しようとしている。
【００７１】
第３の移動体１００の運転者、同乗者等の観察者は、四輪車２００の状況（例えば少し前の軌跡、四輪車２００の現在の速度、四輪車２００の方向指示器の状態等）を考慮して、瞬時に、四輪車２００が右折しようとしていることを認識することができる。また、観察者は、二輪車３００の状況（二輪車３００の現在の速度等）を考慮すれば、二輪車３００が交差点に進入しようとしていることを認識することができる。加えて、観察者は、四輪車２００の状況及び二輪車３００の状況（四輪車２００と二輪車３００との距離等）を考慮すれば、四輪車２００と二輪車３００とが交差点で互いに接近する可能性があることを予測することができる。このように、観察者は、第３の移動体１００の後方に二輪車３００が位置することを考慮すれば、交差点の近くに位置する二輪車３００以外の移動体（即ち四輪車２００）への接近を予測することができる。
【００７２】
観察者が四輪車２００と二輪車３００との間の接近に気づく時に、観察者は、図１の操作部１４を操作することができる。これにより、情報通知装置１０は、このような接近を表す接近情報、第１の識別情報及び第２の識別情報を四輪車２００及び二輪車３００の両者に送信することができる。
【００７３】
四輪車２００の内部に配置される情報通知装置２０は、情報通知装置１０からの接近情報、第１の識別情報及び第２の識別情報を受信することができる。同様に、二輪車３００の内部に配置される情報通知装置３０は、情報通知装置１０からの接近情報、第１の識別情報及び第２の識別情報を受信することができる。
【００７４】
情報通知装置２０は、例えば第１の識別情報を参照して、二輪車３００から四輪車２００への接近、即ち二輪車３００の接近を判定することができる。情報通知装置２０は、二輪車３００の接近を四輪車２００の運転者に報知し、その運転者は、二輪車３００の存在を認識することができる。従って、四輪車２００の運転者は、煩わしい操作を伴うことなく、交通状況を入手することができる。
【００７５】
同様に、情報通知装置３０は、例えば第２の識別情報を参照して、四輪車２００から二輪車３００への接近、即ち四輪車２００の接近を判定することができる。情報通知装置３０は、四輪車２００の接近を二輪車３００の運転者に報知し、その運転者は、四輪車２００の存在を認識することができる。従って、二輪車３００の運転者も、煩わしい操作を伴うことなく、交通状況を入手することができる。
【００７６】
図２（Ａ）は、第３の移動体１００（情報通知装置１０）を基準として、四輪車２００（情報通知装置２０）は、第３の移動体１００（情報通知装置１０）の前方に位置し、二輪車３００（情報通知装置３０）は、第３の移動体１００（情報通知装置１０）の後方に位置している。図２（Ｂ）は、第３の移動体１００（情報通知装置１０）を基準として、四輪車２００（情報通知装置２０）は、第３の移動体１００（情報通知装置１０）の前方に位置し、二輪車３００（情報通知装置３０）は、第３の移動体１００（情報通知装置１０）の左隣りに位置している。図２（Ｂ）において、第３の移動体１００は、四輪車２００が右折できるように、停止している一方、例えば走行中の二輪車３００は、そのままの状態で直進しようとしている。即ち、二輪車３００の速度が第３の移動体１００の速度よりも高く、二輪車３００が第３の移動体１００の前に出ようとしている。もちろん、図２（Ｂ）の第３の移動体１００は、停止しないで、減速しようとしてもよい。図２（Ａ）の四輪車２００の運転者と同様に、図２（Ｂ）の四輪車２００の運転者は、二輪車３００の存在を認識することができる。また、図２（Ｂ）の二輪車３００の運転者は、四輪車２００の存在を認識することができる。
【００７７】
図２（Ａ）及び図２（Ｂ）の各々において、四輪車２００の運転者及び二輪車３００の運転者の各々は、観測者（情報通知装置１０のユーザ）の気づきに応じて、何に、より注意したら良いかを認識することができる。
【００７８】
図３は、送信型の情報通知装置１０（第３の情報通知装置）によって生成される通知情報の構成例を示す。図３に示されるように、図１の情報通知装置１０（第３の情報通知装置）から情報通知装置２０，３０（第１及び第２の情報通知装置）に送信される通知情報は、例えば図２（Ａ）の四輪車２００及び二輪車３００が互いに接近していることを表す接近情報ＭＥＳＳＡＧＥ１０と、四輪車２００（第１の移動体）の種別を表す第１の識別情報ＣＬＡＳＳ２０と、及び二輪車３００（第２の移動体）の種別を表す第２の識別情報ＣＬＡＳＳ３０と、を含んでいる。ここで、種別は、１例として、「四輪車」又は「二輪車」の何れか一方であり、第１の識別情報ＣＬＡＳＳ２０には、例えば「四輪車」が予め登録され、また、第２の識別情報ＣＬＡＳＳ３０には、例えば「二輪車」が予め登録されている。従って、接近情報ＭＥＳＳＡＧＥ１０、第１の識別情報ＣＬＡＳＳ２０及び第２の識別情報ＣＬＡＳＳ３０で構成される通知情報は、「四輪車」と「二輪車」との間の接近を表すことができる。
【００７９】
加えて、情報通知装置１０の処理部１１は、通知情報の差出人を表す差出人情報ＩＤ１０を含むことができる。ここで、差出人情報ＩＤ１０は、例えば情報通知装置１０に割り当てられた固有のＩＤ（例えばＩＰアドレス、ＭＡＣアドレス、ログインＩＤ等）である。もちろん、処理部１１は、通知情報の受取人を表す受取人情報（図示せず）を通知情報に含ませてもよい。言い換えれば、情報通知装置１０は、通知情報をブロードキャスト形式で送信してもよく、或いは、通知情報をマルチキャスト形式で送信してもよい。
【００８０】
次に、情報通知装置１０は、通知情報を送信する際に、情報通知装置１０の状況を表す状況情報ＳＴＡＴＥ１０を通知情報に含ませてもよい。ここで、状況情報ＳＴＡＴＥ１０は、例えば情報通知装置１０の位置である。もちろん、情報通知装置１０は、通知情報の受取人（四輪車２００及び二輪車３００）の位置等で構成される四輪車２００の状況を表す状況情報（図示せず）及び二輪車３００の状況を表す状況情報（図示せず）を通知情報に含ませてもよい。
【００８１】
図４（Ａ）は、送信型の情報通知装置１０（第３の情報通知装置）のディスプレイの表示例を示し、図４（Ｂ）及び図４（Ｃ）の各々は、受信型の情報通知装置２０（第１の情報通知装置）のディスプレイの表示例を示し、図４（Ｄ）は、受信型の他の情報通知装置３０（第２の情報通知装置）のディスプレイの表示例を示す。また、図５は、送信型の情報通知装置１０の動作例を表すフローチャートを示し、図６は、受信型の情報通知装置２０，３０の動作例を表すフローチャートを示す。以下に、これらの図面を参照しながら、例えば３つの情報通知装置１０，２０，３０で構成される情報通知システム４０の動作について、説明する。なお、送信型の情報通知装置１０は、送信型専用の情報通知装置であってもよく、送受信型の情報通知装置であってもよい。同様に、受信型の情報通知装置２０，３０の各々は、受信型専用の情報通知装置であってもよく、送受信型の情報通知装置であってもよい。
【００８２】
情報通知装置１０のユーザ（当事者以外の第三者）は、例えば統合アプリケーションプログラムのアイコン（図示せず）をユーザの手で触ることによって、統合アプリケーションプログラムを実行し、統合アプリケーションを起動する（図５のステップＳＴ０１）。ここで、統合アプリケーションプログラムは、例えばナビゲーションアプリケーションプログラムに情報通知アプリケーションプログラムを統合することによって作成されたものである。言い換えれば、情報通知装置１０は、ナビゲーションアプリケーション上の情報通知アプリケーション（情報通知機能）を利用することができる。もちろん、図５のステップＳＴ０１において、情報通知装置１０は、単一の情報通知アプリケーションを実行し、情報通知アプリケーションだけを実行してもよい。
【００８３】
次に、情報通知装置１０は、デバイスを検出したか否かを判定することができる（図５のステップＳＴ０２）。一方、情報通知装置２０のユーザ（当事者の一方）は、例えば情報通知装置２０が配置される四輪車２００のイグニッションスイッチをユーザの手でオンすることよって、情報通知装置２０の電源をオンし、これにより、情報通知装置２０は、情報通知装置２０の例えば統合アプリケーションプログラムを自動的に実行し、統合アプリケーションを自動的に起動する（図６のステップＳＴ２１）。もちろん、図６のステップＳＴ２１において、情報通知装置２０のユーザは、統合アプリケーションプログラムのアイコン（図示せず）をユーザの手で触ることによって、統合アプリケーションを起動してもよい。次に、情報通知装置２０も、デバイスを検出したか否かを判定することができる（図６のステップＳＴ０２）。
【００８４】
例えば情報通知装置１０の統合アプリケーション及び情報通知装置２０の統合アプリケーションが起動している時に、情報通知装置１０は、情報通知装置２０をデバイスとして検出し、情報通知装置２０を情報通知装置１０に接続することができる（図５のステップＳＴ０２）。同様に、情報通知装置２０は、情報通知装置１０をデバイスとして検出し、情報通知装置１０を情報通知装置２０に接続することができる（図６のステップＳＴ２３）。
【００８５】
次に、情報通知装置１０は、もう１つのデバイスを検出したか否かを判定することができる（図５のステップＳＴ０４）。一方、情報通知装置３０のユーザ（当事者の他方）は、情報通知装置３０の電源をユーザの手でオンし、これにより、情報通知装置３０は、情報通知装置２０の例えば統合アプリケーションプログラムを実行し、統合アプリケーションを起動する（図６のステップＳＴ２１）。情報通知装置３０の統合アプリケーションも起動している時に、情報通知装置１０は、情報通知装置３０をもう１つのデバイスとして検出し、情報通知装置３０を情報通知装置１０に接続することができる（図５のステップＳＴ０５）。
【００８６】
次に、情報通知装置１０は、２つのデバイス（情報通知装置２０，３０）との接続が継続しているか否かを判定することができる（図５のステップＳＴ０６）。同様に、情報通知装置２０及び情報通知装置３０の各々は、デバイス（情報通知装置１０）との接続が継続しているか否かを判定することができる（図６のステップＳＴ２４）。
【００８７】
ところで、図４（Ａ）に示されるように、情報通知装置１０の統合アプリケーションは、情報通知装置１０のディスプレイに統合アプリケーションの実行画面を表示する。ここで、ディスプレイは、報知部１３の機能だけでなく、操作部１４（ソフトウエアボタン）の機能を有している。図４（Ａ）のディスプレイは、「四輪車」と「二輪車」との間の接近を表すアイコン１３−１を表示するとともに、そのアイコン１３−１は、ユーザに対して選択可能である。アイコン１３−１は、通知情報を送信可能な「気づき」ボタン１４−１と呼ぶことができる。即ち、ユーザがアイコン１３−１（「気づき」ボタン１４−１）をユーザの手で触る時に、情報通知装置１０は、送信用の通知情報を生成し、且つその通知情報を２つのデバイスに送信することができる（図５のステップＳＴ０７〜ＳＴ０９）。
【００８８】
但し、情報通知装置１０は、図５のステップＳＴ０６を省略してもよい。即ち、情報通知装置１０と例えば情報通知装置２０との間の通信だけが確立され、情報通知装置１０と例えば情報通知装置３０との間の通信が切断される時に、情報通知装置１０は、送信用の通知情報を１つのデバイス（情報通知装置２０）だけに送信してもよい。言い換えれば、情報通知装置１０と例えば情報通知装置３０との間の通信が一時的に切断された後に、情報通知装置１０と例えば情報通知装置３０との間の通信が復帰する時に、情報通知装置１０は、送信用の通知情報をもう１つのデバイス（情報通知装置３０）だけに送信してもよい。代替的に、例えば二輪車３００のユーザ（当事者の他方）が情報通知装置３０を備えていない時に、情報通知装置１０は、送信用の通知情報を１つのデバイス（情報通知装置２０）だけに送信してもよい。
【００８９】
加えて、図４（Ａ）のディスプレイは、統合アプリケーションの実行画面として、ナビゲーション画面１３−２を表示することができる。上述したように、図２（Ａ）の第３の移動体１００は、例えば右折する予定であるが、第３の移動体１００は、例えば進行方向の状況を考慮して、停止している。従って、図４（Ａ）のナビゲーション画面１３−２は、地図上に、走行ルートを表す矢印と右折を表す矢印とを重ねて表示することができる。
【００９０】
情報通知装置２０が通知情報を受信する前に、図４（Ｂ）に示されるように、情報通知装置２０の統合アプリケーションは、情報通知装置２０のディスプレイに統合アプリケーションの実行画面を表示する。ここで、情報通知装置２０の操作部２４は、例えば統合アプリケーションを操作可能な複数のハードウェアボタン２４−１と例えばディスプレイで構成されるソフトウエアボタン２４−２とを含むことができる。もちろん、情報通知装置２０は、例えば複数のハードウェアボタン２４−１を備えなくてもよく、代替的に、例えばソフトウエアボタン２４−２を備えなくてもよい。
【００９１】
図４（Ｂ）のディスプレイは、ソフトウエアボタン２４−２の機能だけでなく、報知部２３の機能を有している。図４（Ｂ）のディスプレイは、統合アプリケーションの実行画面として、ナビゲーション画面２３−１を表示することができる。上述したように、図２（Ａ）の四輪車２００は、例えば右折するために前進しようとしている。従って、図４（Ｂ）のナビゲーション画面２３−１は、地図上に、走行ルートを表す矢印と右折を表す矢印とを重ねて表示することができる。
【００９２】
ここで、情報通知装置２０の統合アプリケーションは、情報通知装置１０の統合アプリケーションと同様に、図４（Ｂ）のディスプレイは、「四輪車」と「二輪車」との間の接近を表すアイコン２３−２を表示するとともに、そのアイコン２４−２は、情報通知装置２０のユーザに対して選択可能である。即ち、図２（Ａ）において、四輪車１００の情報通知装置１０は、情報通知装置１０のユーザに気づきに応じて、通知情報を四輪車２００（情報通知装置２０）及び二輪車３００（情報通知装置３０）に送信するが、図示されない他の交通状況において、情報通知装置２０は、情報通知装置２０のユーザに気づきに応じて、図示されない他の四輪車及び他の二輪車に、他の四輪車と他の二輪車との接近情報を含む他の通知情報を送信可能である。もちろん、情報通知装置２０の統合アプリケーションは、「四輪車」と「二輪車」との間の接近を表すアイコン２３−２（「気づき」ボタン２４−３）を表示しなくてもよい。言い換えれば、情報通知装置２０は、受信型専用の情報通知装置であってもよい。
【００９３】
図２（Ａ）の情報通知装置２０が情報通知装置１０から通知情報を受信する時に、情報通知装置２０は、通知情報から自分用の接近情報を生成し、且つその接近情報を表示することができる（図６のステップＳＴ２５〜ＳＴ２７）。即ち、情報通知装置２０が情報通知装置１０から通知情報を受信する時に、統合アプリケーションの実行画面は、図４（Ｂ）から図４（Ｃ）に切り替わり、図４（Ｃ）のディスプレイは、「二輪車」の接近を表すアイコン２３−３を表示する。もちろん、情報通知装置２０が情報通知装置１０から通知情報を受信する時に、図４（Ｂ）のディスプレイは、アイコン２３−２に代えて、或いはアイコン２３−２に加えて、図４（Ｃ）のアイコン２３−３のような接近情報を表示してもよい。加えて、情報通知装置２０が情報通知装置１０から通知情報を受信する時に、報知部２３を構成するスピーカ（図示せず）が接近情報を表す音声で出力してもよい。
【００９４】
図６のステップＳＴ２６において、情報通知装置２０は、具体的には、四輪車２００が通知情報に含まれる第１の識別情報ＣＬＡＳＳ２０に該当するか否かを判定する。情報通知装置２０の記憶部２２は、四輪車２００の種別として、「四輪車」が予め記憶されている。第１の識別情報ＣＬＡＳＳ２０に予め登録された「四輪車」が記憶部２２に予め記憶された「四輪車」と一致する時に、情報通知装置２０は、「二輪車」を表す接近情報（図４（Ｃ）のアイコン２３−３）を報知することができる。ここで、情報通知装置２０の記憶部２２は、相手の車両の種別として、「二輪車」が予め記憶されている。
【００９５】
但し、記憶部２２は、「二輪車」が予め記憶しなくてもよい。即ち、好ましくは、情報通知装置２０は、第１の識別情報ＣＬＡＳＳ２０を参照するとともに、第２の識別情報ＣＬＡＳＳ３０も参照することができる。次に、第１の識別情報ＣＬＡＳＳ２０に予め登録された「四輪車」が記憶部２２に予め記憶された「四輪車」と一致する時に、情報通知装置２０は、記憶部２２に予め記憶された「四輪車」と一致しない第２の識別情報ＣＬＡＳＳ３０の種別（「二輪車」）を通知情報から抽出し、抽出した接近情報（図４（Ｃ）のアイコン２３−３）を報知することができる（図６のステップＳＴ２６〜ＳＴ２７）。
【００９６】
同様に、図２（Ａ）の情報通知装置３０が情報通知装置１０から通知情報を受信する時に、情報通知装置３０は、通知情報から自分用の接近情報を生成し、且つその接近情報を表示することができる（図６のステップＳＴ２５〜ＳＴ２７）。即ち、情報通知装置３０が情報通知装置１０から通知情報を受信する時に、統合アプリケーションの実行画面は、例えば図４（Ｄ）のディスプレイによって表示される。図４（Ｄ）のディスプレイは、「四輪車」の接近を表すアイコン３３−１を表示する。もちろん、情報通知装置３０が情報通知装置１０から通知情報を受信する時に、報知部３３を構成するスピーカ（図示せず）が接近情報を表す音声で出力してもよい。
【００９７】
図６のステップＳＴ２６において、情報通知装置３０は、具体的には、二輪車３００が通知情報に含まれる第２の識別情報ＣＬＡＳＳ３０に該当するか否かを判定する。情報通知装置３０の記憶部３２は、二輪車３００の種別として、「二輪車」が予め記憶されている。第２の識別情報ＣＬＡＳＳ３０に予め登録された「二輪車」が記憶部３２に予め記憶された「二輪車」と一致する時に、情報通知装置２０は、「四輪車」を表す接近情報（図４（Ｄ）のアイコン３３−１）を報知することができる。ここで、情報通知装置３０の記憶部３２は、相手の車両の種別として、「四輪車」が予め記憶されている。
【００９８】
代替的に、情報通知装置３０は、第２の識別情報ＣＬＡＳＳ３０を参照するとともに、第１の識別情報ＣＬＡＳＳ２０も参照することができる。次に、第２の識別情報ＣＬＡＳＳ３０に予め登録された「二輪車」が記憶部３２に予め記憶された「二輪車」と一致する時に、情報通知装置３０は、記憶部３２に予め記憶された「二輪車」と一致しない第１の識別情報ＣＬＡＳＳ２０の種別（「四輪車」）を通知情報から抽出し、抽出した接近情報（図４（Ｄ）のアイコン３３−１）を報知することができる（図６のステップＳＴ２６〜ＳＴ２７）。
【００９９】
図４（Ｄ）のディスプレイは、報知部３３の機能だけでなく、操作部３４（ソフトウエアボタン）の機能を有している。もちろん、情報通知装置３０は、ディスプレイの代わりに、或いはディスプレイに加えて、報知部３３を構成するスピーカ（図示せず）を有してもよく、このスピーカから出力される音声だけで、二輪車４００を目的地に誘導してもよい。もちろん、情報通知装置３０の統合アプリケーションプログラムは、ナビゲーションアプリケーションプログラムを含まない単一の情報通知アプリケーションであってもよい。
【０１００】
（変形例）
【０１０１】
第１の実施形態において、例えば図２（Ａ）の第３の移動体１００は、例えば四輪車（乗用車）である。また、第１の実施形態において、例えば図２（Ａ）の第１の移動体２００及び第２の移動体３００は、それぞれ、例えば四輪車（乗用車）２００及び例えば二輪車３００である。第１の実施形態では、第１の移動体２００及び第２の移動体３００の例えば運転者が当事者に該当する一方、第３の移動体１００運転者が当事者以外の第三者（観測者）に該当している。第１の実施形態の変形例では、観測者は必ずしも必要とされず、機械（第３の移動体１００に配置される情報通知装置１０）が当事者間の接近を自動的に気づいてもよい。
【０１０２】
加えて、第１の実施形態において、例えば図１の処理部１１は、情報通知装置２０を有する例えば四輪車２００と情報通知装置３０を有する例えば二輪車３００（例えば図２（Ａ）参照）との間の接近情報を生成している。第１の実施形態の変形例では、処理部１１は、例えば二輪車３００の周辺の四輪車２００の存在を表す存在情報を生成してもよい。言い換えれば、処理部１１は、接近情報等の存在情報を生成すればよい。第１の実施形態又はその変形例において、例えば二輪車３００の周辺の四輪車２００の存在を表す存在情報は、例えば四輪車２００の周辺の二輪車３００の存在を表す存在情報であり、従って、このような存在情報は、共通の存在情報（１つの存在情報）と呼ぶことができる。
【０１０３】
（第２の実施形態）
【０１０４】
第１の実施形態において、例えば図２（Ａ）の第３の移動体１００は、例えば四輪車（乗用車）である。また、第１の実施形態において、例えば図２（Ａ）の第１の移動体２００及び第２の移動体３００は、それぞれ、例えば四輪車（乗用車）２００及び例えば二輪車３００である。第２の実施形態において、例えば図７（Ａ）の第３の移動体１００は、例えば四輪車（バス）である。また、第２の実施形態において、例えば図７（Ａ）の第１の移動体２００及び第２の移動体３００は、それぞれ、例えば四輪車（乗用車）２００及び例えば電動カート３００である。
【０１０５】
加えて、第２の実施形態において、例えば図７（Ａ）のバス１００の情報通知装置１０の処理部１１（図１参照）によって実行される処理（例えば、接近情報等の存在情報への第１の識別情報及び第２の識別情報の両者（図３のＣＬＡＳＳ２０及びＣＬＡＳＳ３０）の付加）は、必ずしも必要とされていない。従って、第２の実施形態の処理部１１は、例えば、接近情報等の存在情報を生成し、送信すればよい。以下に、第２の実施形態について説明する。
【０１０６】
図７（Ａ）は、四輪車２００（第１の移動体）と例えば乗用型の電動カート３００（第２の移動体）との位置関係の説明図を示し、図７（Ｂ）は、四輪車２００（第１の移動体）と電動カート３００（第２の移動体）との位置関係の説明図を示す。例えば図７（Ａ）に示されるように、図１の情報通知装置１０は、四輪車２００（第１の移動体）、電動カート３００（第２の移動体）以外の例えば四輪車又は例えば商用車又は例えば大型四輪車又は例えばバスである第３の移動体１００（中間移動体）の内部に配置され、情報通知装置１０が四輪車２００と電動カート３００との間に位置している。図７（Ａ）のバス１００の進行方向に位置する交差点の手前（図７（Ａ）の下方向）に第３の移動体１００（バス１００）及び四輪車２００並びに横断歩道が位置し、その横断歩道の手前の歩道（図７（Ａ）の左方向）に電動カート３００が位置している。
【０１０７】
また、図７（Ａ）において、第３の移動体１００（バス１００）の進行方向（図７（Ａ）の上方向）に電動カート３００が位置し、第３の移動体１００の進行方向の逆方向（図７（Ａ）の下方向）に四輪車２００が位置している。四輪車２００は、例えば直進する予定であるが、四輪車２００は、例えば四輪車２００の進行方向を確認したい。場合によっては、四輪車２００は、四輪車２００の進行方向の状況を考慮して、第３の移動体１００の追い越しを検討している。電動カート３００は、例えば横断歩道を渡る予定であるが、電動カート３００は、例えば電動カート３００の進行方向の状況を考慮して、待機している。なお、第３の移動体１００は、交差点に侵入する前に、例えば減速している。
【０１０８】
四輪車２００の運転者（当事者の一方）の視界に電動カート３００が入らない又は入りに難い時に、或いは、四輪車２００の運転者が四輪車２００の周辺に四輪車２００の存在を知らせたい時に、四輪車２００の運転者は、図１の操作部２４を操作することができる。これにより、情報通知装置２０は、このような接近を表す接近情報等の存在情報（第２の存在情報）の有無を要求する要求情報を第３の移動体１００に送信することができる。同様に、電動カート３００の運転者（当事者の他方）の視界に四輪車２００が入らない又は入りに難い時に、或いは、電動カート３００の運転者が電動カート３００の周辺に電動カート３００の存在を知らせたい時に、電動カート３００の運転者は、図１の操作部３４を操作することができる。これにより、情報通知装置３０は、このような接近を表す接近情報等の存在情報（第１の存在情報）の有無を要求する要求情報を第３の移動体１００に送信することができる。但し、例えば電動カート３００の運転者は、操作部３４を操作しなくてもよく、例えば情報通知装置３０は、要求情報を送信しなくてもよい。
【０１０９】
なお、電動カート３００は、例えば日本の道路交通法上、歩行者として扱われているので、電動カート３００の運転者は、運転免許書を所持しなくてもよい。また、当業者は、電動カート３００自身又は電動カート３００の種別が歩行者であることを想定してもよい。
【０１１０】
第３の移動体１００が例えば当事者の双方からの２つの要求信号を受信する時に、第３の移動体１００の情報通知装置１０の処理部１１は、四輪車２００及び電動カート３００が互いに接近していることを自動的に気づくことができる。その後、処理部１１は、四輪車２００及び電動カート３００が互いに接近していることを表す接近情報等の例えば２つの存在情報を生成することができる。
【０１１１】
ところで、第３の移動体１００が例えば当事者の一方又は１つ（例えば四輪車２００）からの１つの要求信号を受信する時に、第３の移動体１００の情報通知装置１０の処理部１１は、四輪車２００が第３の移動体１００の周辺に接近していることを自動的に気づくことができる。言い換えれば、処理部１１は、四輪車２００が何かに接近している可能性を自動的に気づくことができる。図７（Ａ）において、第３の移動体の周辺には、例えば電動カート３００が存在しているので、処理部１１は、四輪車２００が例えば電動カート３００に接近している可能性を自動的に気づくことができる。また、図７（Ａ）の点線で示されるように第３の移動体の周辺には、例えば四輪車３００−１も存在し得る。言い換えれば、図１には、１つの情報通知装置３０だけが示されているが、情報通知システム４０は、例えば情報通知装置１０，２０及び２つの情報通知装置３０，３０−１で構成されてもよい。従って、処理部１１は、四輪車２００（第１の移動体）が例えば電動カート３００、四輪車３００−１等の何か（第２の移動体）に接近している可能性があることを表す接近情報等の存在情報（第２の存在情報）を、例えば電動カート３００、四輪車３００−１等に送信することができる。同様に、処理部１１は、四輪車２００の周辺の例えば電動カート３００の存在を表す存在情報（第１の存在情報）を四輪車２００に送信することができる。
【０１１２】
四輪車２００の情報通知装置２０は、情報通知装置１０からの接近情報等の存在情報（第１の存在情報）を受信することができるので、情報通知装置２０は、何かから四輪車２００への接近の可能性を識別又は判定することができる。情報通知装置２０は、何かの接近の可能性を四輪車２００の運転者に報知し、その運転者は、何かの存在の可能性、或いは例えば電動カート３００の存在を認識することができる。存在情報（第１の存在情報）は、典型的には、画像（図９（Ｃ）、図９（Ｄ）参照）であり、この場合に、四輪車２００の情報通知装置２０は、情報通知装置１０からの画像（第１の存在情報）を受信し、それを加工して、或いは、そのままの状態で、表示することができる。
【０１１３】
同様に、電動カート３００、四輪車３００−１等の情報通知装置３０，３０−１は、情報通知装置１０からの接近情報等の存在情報（第２の存在情報）を受信することができる。情報通知装置３０，３０−１は、四輪車２００から電動カート３００、四輪車３００−１等への接近の可能性を識別又は判定することができる。情報通知装置３０，３０−１は、四輪車２００の接近の可能性を電動カート３００、四輪車３００−１等の運転者に報知し、その運転者は、四輪車２００の存在の可能性、或いは四輪車２００の存在を認識することができる。存在情報（第２の存在情報）は、典型的には、第３の移動体１００（バス１００）を後続する後続車両（四輪車２００）からの要求情報に基づく情報であり、この場合に、電動カート３００の情報通知装置２００は、情報通知装置１０からの情報（第２の存在情報）を受信し、それを加工して、或いは、そのままの状態で、表示することができる。
【０１１４】
図７（Ａ）において、第３の移動体１００は、例えば指定区域内に入ったことを条件として、少なくとも１つの存在情報（例えば第１の存在情報及び第２の存在情報）を送信できることが好ましい。或いは、第３の移動体１００は、例えば指定状態であることを条件として、少なくとも１つの存在情報（例えば第１の存在情報及び第２の存在情報）を送信できることが好ましい。指定区域は、例えば交差点の周辺、停留所の周辺等である。また、指定状態は、例えば減速、停止等である。
【０１１５】
図７（Ａ）において、四輪車２００は、例えば指定区域内に入ったことを条件として、要求情報を送信できることが好ましい。その理由は、無駄な送信を抑制又は回避することができるからである。例えば図７（Ａ）において、四輪車２００が指定区間内に入る時に、四輪車２００を先行する先行車である例えば第３の移動体１００も指定区間内に入り又は第３の移動体１００が指定区間の周辺に存在している。
【０１１６】
図１の情報通知装置１０は、例えばＧＰＳ、加速度センサ等で構成される取得部１５を備えている。但し、図１の取得部１５は、例えばＧＰＳ等だけでなく、例えばカメラでも構成されることが好ましい。言い換えれば、図１の情報通知装置１０又は例えば図７（Ａ）の第３の移動体１００は、例えば画像を取得可能なカメラを更に備えることが好ましい。ここで、カメラは、例えば第３の移動体１００の前方を撮像可能なカメラ、例えばドライブレコーダのカメラであり、そのカメラによって撮像される画像は、第３の移動体１００の周辺に位置する例えば図７（Ａ）の電動カート３００を表す可能性がある。情報通知装置１０の処理部１１は、第１の存在情報（２つの接近する移動体のうちの一方（第１の移動体）用の存在情報）として、取得部１５又はカメラからの画像を採用することができる。言い換えれば、図７（Ａ）の第３の移動体１００は、第１の存在情報として、画像を例えば四輪車２００に送信することができる。
【０１１７】
なお、処理部１１は、第２の存在情報（２つの接近する移動体のうちの他方（第２の移動体）用の存在情報）として、四輪車２００又は第１の移動体からの要求情報を採用又は利用することができる。言い換えれば、図７（Ａ）の第３の移動体１００は、第２の存在情報として、要求情報を送信した何か（例えば四輪車２００のような接近車両）の存在又はその存在の可能性を例えば電動カート３００に送信してもよい。
【０１１８】
図７（Ｂ）において、例えば第３の移動体１００が例えば停留所５０で停止している。従って、例えば四輪車２００の運転者は、例えば四輪車２００進行方向を又は第３の移動体１００の進行方向を確認したい。また、図７（Ｂ）において、情報通知装置３０は、歩行者３００によって例えば保持されている。また、歩行者３００は、例えば道路を渡る予定である。このような状況において、例えば四輪車２００から第３の移動体１００に要求情報等のトリガー情報が送信されることを契機として、第３の移動体１００の情報通知装置１０は、存在情報（第２の存在情報）を例えば歩行者３００の情報通知装置３０に送信することができる。これに対し、情報通知装置３０は、情報通知装置３０のユーザに、即ち歩行者３００に、四輪車２００の存在情報（例えば、四輪車２００の接近又はその可能性）を報知することができる。
【０１１９】
図８（Ａ）は、四輪車２００と電動カート３００との他の位置関係の説明図を示し、図８（Ｂ）は、四輪車２００と四輪車３００との位置関係の説明図を示す。図７（Ａ）の電動カート３００は、横断歩道の手前の歩道（図７（Ａ）の左側）で待機している一方、図８（Ａ）の電動カート３００は、横断歩道を実際に渡っている。このような状況において、電動カート３００の運転者は、情報通知装置３０で、要求情報を第３の移動体１００に事前に送信することができる。例えば図７（Ａ）において、四輪車２００の運転者が電動カート３００の存在を認識できない可能性がある。或いは、例えば図７（Ａ）において、四輪車２００の運転者が電動カート３００の横断歩道への侵入又は前進を認識できない可能性がある。従って、図７（Ａ）において、電動カート３００の運転者が電動カート３００の周囲に電動カート３００の存在又は横断歩道への侵入又は前進を知らせたい時に、電動カート３００の運転者は、横断歩道を渡る前に、要求情報を第３の移動体１００に送信することができる。なお、四輪車２００の運転者が電動カート３００の存在を既に認識している時に、電動カート３００の運転者は、第３の移動体１００を介して、要求情報としての例えば会話情報を例えば四輪車２００に送信してもよい。
【０１２０】
図８（Ｂ）において、例えば四輪車３００の運転者は、四輪車３００を先行する先行車の追い越しを検討する可能性がある。このような状況において、例えば四輪車２００から第３の移動体１００に要求情報が送信されることを契機として、第３の移動体１００の情報通知装置１０は、存在情報（第１の存在情報）を例えば四輪車２００の情報通知装置２０に送信することができる。これに対し、情報通知装置２０は、四輪車２００の運転者に四輪車３００の接近又はその可能性を報知することができる。
【０１２１】
図９（Ａ）及び図９（Ｅ）の各々は、能動型の情報通知装置３０（第２の情報通知装置）のディスプレイの表示例を示し、図９（Ｂ）、図９（Ｃ）及び図９（Ｄ）の各々は、能動型の情報通知装置２０（第１の情報通知装置）のディスプレイの表示例を示し、図９（Ｆ）は、図９（Ｂ）〜図９（Ｄ）のディスプレイの他の表示例を示す。また、図１０は、 受動型の情報通知装置１０の動作例を表すフローチャートを示し、図１１（Ａ）は、能動型の情報通知装置２０（第１の情報通知装置）の動作例を表すフローチャートを示し、図１１（Ｂ）は、能動型の情報通知装置３０（第２の情報通知装置）の動作例を表すフローチャートを示す。以下に、これらの図面を参照しながら、例えば３つの情報通知装置１０，２０，３０で構成される情報通知システム４０の動作について、説明する。なお、能動型の例えば情報通知装置３０は、例えば受動型の情報通知装置であってもよい。
【０１２２】
図１０及び図１１（Ａ），１１（Ｂ）のフローチャートは、それぞれ、図５及び図６のフローチャートと類似している。言い換えれば、同一の符号で示されるステップは、基本的に、同一又は類似の処理を表している。情報通知装置１０のユーザ（当事者以外の第三者）は、例えば統合アプリケーション、情報通知アプリケーション等のアプリケーションを起動する（図１０のステップＳＴ０１）。ここで、統合アプリケーションは、例えばドライブレコーダアプリケーションに情報通知アプリケーションを統合することによって作成されたものである。次に、情報通知装置１０は、例えば２つのデバイスを検出する（図１０のステップＳＴ０２〜ＳＴ０６）。情報通知装置１０が２つのデバイス（情報通知装置２０，３０）と接続される時に、情報通知装置２０，３０の各々がデバイス（情報通知装置１０）と接続される（図１１（Ａ），１１（Ｂ）のステップＳＴ２１〜ＳＴ２４）。
【０１２３】
ところで、図９（Ａ）に示されるように、情報通知装置３０のディスプレイは、アプリケーションの実行画面を表示する。ここで、ディスプレイは、報知部３３の機能だけでなく、操作部３４（ソフトウエアボタン）の機能を有している。図９（Ａ）のディスプレイは、例えばアイコン３３−１を表示するとともに、そのアイコン３３−１は、ユーザに対して選択可能である。アイコン３３−１は、要求情報を送信可能な「要求」ボタン３４−１と呼ぶことができる。即ち、ユーザがアイコン３３−１（「要求」ボタン３４−１）をユーザの手で触る時に、情報通知装置３０は、例えば許可型の要求情報を生成し、且つその要求情報を情報通知装置１０に送信することができる。なお、例えば許可型の要求情報を生成可能な「要求」ボタン３４−１は、例えば情報通知装置３０のユーザ（例えば図７（Ａ）の電動カート３００の運転者）が例えば横断歩道を今から渡りたいことを表す会話情報であってもよい。
【０１２４】
但し、情報通知装置３０は、要求情報又は会話情報の送信を省略してもよい。即ち、例えば図７（Ａ）の第３の移動体１００又は情報通知装置１０は、例えば許可型の要求情報を受信しない時に、存在情報（第２の存在情報）を例えば図７（Ａ）の電動カート３００又は情報通知装置３０に送信してもよい。他方、例えば図７（Ａ）の第３の移動体１００又は情報通知装置１０は、情報通知装置２０からの例えば取得型の要求情報を受信する時に、存在情報（第１の存在情報）を例えば図７（Ａ）の四輪車２００又は情報通知装置２０に送信してもよい（図１０のステップＳＴ０７−１、ステップＳＴ０９）。
【０１２５】
ここで、取得型の要求情報は、例えば図９（Ｂ）の「要求」ボタン２４−３（アイコン２３−２）で生成される。例えば取得型の要求情報を生成可能な「要求」ボタン２４−３は、例えば情報通知装置２０のユーザ（例えば図７（Ａ）の四輪車２００の運転者）が例えば視界を拡げたいことを表すことができる。情報通知装置２０のユーザがアイコン２３−２（「要求」ボタン２４−３）をユーザの手で触る時に、情報通知装置２０は、例えば取得型の要求情報を生成し、且つその要求情報を情報通知装置１０に送信することができる（図１１（Ａ）のステップＳＴ２５−０）。これにより、情報通知装置１０は、情報通知装置２０からの例えば取得型の要求情報を受信する（図１０のステップＳＴ０７−１）。もちろん、情報通知装置１０は、情報通知装置２０及び３０からの２つの要求信号を受信する時に、第１及び第２の存在情報を情報通知装置２０及び３０に送信してもよい（図１０のステップＳＴ０９）。
【０１２６】
情報通知装置１０は、取得型の要求情報が後続車から送信されたか否かを判定することができる（図１０のステップＳＴ０７−１）。例えば図７（Ａ）において、後続車である四輪車２００が取得型の要求情報を第３の移動体１００に送信する時に、第３の移動体１００の情報通知装置１０は、その要求情報を受け入れることができる。具体的には、情報通知装置１０は、例えば、第３の移動体１００の進行方向が四輪車２００の進行方向と一致するか否かを判定することができる（図１０のステップＳＴ０７−１）。同様に、例えば図８（Ｂ）において、第３の移動体１００の情報通知装置１０は、後続車である四輪車２００からの取得型の要求情報を受け入れることができる。他方、図８（Ｂ）において、第３の移動体１００の情報通知装置１０は、対向車である四輪車３００からの取得型の要求情報を受け入れることができない。その理由は、第３の移動体１００の進行方向が四輪車３００の進行方向と一致しないからである。
【０１２７】
例えば図７（Ａ）において、第３の移動体１００の情報通知装置１０が四輪車２００からの取得型の要求情報を受け入れる時に、情報通知装置１０は、情報通知装置１０の取得部１５又はカメラからの画像を取得することができる（図１０のステップＳＴ０７−２）。ここで、画像は、例えば静止画像であるが、動画像であってもよい。次に、情報通知装置１０は、第１の存在情報として、取得部１５又はカメラからの画像を採用することができ、その画像を含む存在情報（第１の存在情報）を情報通知装置２０に送信することができる（図１０のステップＳＴ０８−１及びＳＴ０９）。これにより、情報通知装置２０は、その存在情報（第１の存在情報）を受信する（図１１（Ａ）のステップＳＴ２５）。
【０１２８】
情報通知装置１０は、第２の存在情報として、四輪車２００からの取得型の要求情報を採用することができ、その要求情報（第２の存在情報）を情報通知装置３０に送信することができる（図１０のステップＳＴ０８−２及びＳＴ０９）。これにより、情報通知装置３０は、その存在情報（第２の存在情報）を受信する（図１１（Ｂ）のステップＳＴ２５）。
【０１２９】
情報通知装置２０は、存在情報（第１の存在情報）から取得部１５又はカメラからの画像を抽出し、或いは、画像（第１の存在情報）を直接に受信することができる。例えば図７（Ａ）において、電動カート３００は、カメラの死角に入っている可能性がある。取得部１５又はカメラからの画像が電動カート３００を表さない時に、例えば図９（Ｃ）の情報通知装置３０のディスプレイの抽出画像２３−４（受信画像）は、電動カート３００を含まない。他方、例えば図８（Ａ）において、電動カート３００は、カメラの画角に入っている可能性がある。取得部１５又はカメラからの画像が電動カート３００を表す時に、例えば図９（Ｄ）の情報通知装置３０のディスプレイの抽出画像２３−４（受信画像）は、電動カート３００を含む。これにより、例えば図８（Ａ）の四輪車２００の運転者は、電動カート３００の存在を容易に又は直ちに認識することができる。なお、画像の表示を開始した時点の時刻から例えば１０秒間だけ経過すると、表示は、無効になってもよい。即ち、例えば図９（Ｃ）又は図９（Ｄ）の情報通知装置３０のディスプレイは、所定期間が経過した時点で、例えば図９（Ｂ）のようなディスプレイに戻ってもよい。
【０１３０】
情報通知装置２０は、存在情報（第２の存在情報）から情報通知装置３０からの取得型の要求情報を抽出し、或いは、第３の移動体１００（バス１００）を後続する後続車両（四輪車２００）からの要求情報に基づく情報（第２の存在情報）を直接に受信することができる。例えば図７（Ａ）において、電動カート３００が第２の存在情報を受信する時に、例えば図９（Ｅ）の情報通知装置３０のディスプレイの抽出画像３４−５（例えば受信テキストに基づく情報通知装置３０側の生成画像又はローカル画像）は、要求情報を送信した何か（例えば四輪車２００のような接近車両）の存在又はその存在の可能性を表すことができる。これにより、例えば図７（Ａ）の電動カート３００の運転者は、接近車両の存在又はその存在の可能性を認識することができる。なお、画像の表示には、例えば「接近車両あり！」、「周辺車両あり！」、「接近注意」、「周辺注意」等のテキストを設定することができ、例えば表示を開始した時点の時刻から例えば１０秒間だけ経過すると、表示は、無効になってもよい。即ち、例えば図９（Ｅ）の情報通知装置２０のディスプレイは、所定期間が経過した時点で、例えば図９（Ａ）のようなディスプレイに戻ってもよい。
【０１３１】
例えば図９（Ａ）のディスプレイは、例えば許可型の要求情報を生成可能な「要求」ボタン３４−２をアイコン３３−２として表示することができ、「要求」ボタン３４−２は、例えば情報通知装置３０のユーザ（例えば図８（Ａ）の電動カート３００の運転者）が例えば横断歩道を今から渡りたいことを表す会話情報に設定することができる。また、図９（Ａ）のディスプレイは、例えば他の会話情報又は要求情報以外の会話情報を「会話」ボタン３４−３，３４−４をアイコン３３−３，３３−４として表示することができ、「会話」ボタン３４−３及び３４−４は、それぞれ、例えば挨拶（「こんにちは」「ありがとう」等）及び例えば提案（「休憩したい」等）を表すことができる。また、図９（Ｂ）のディスプレイは、例えば会話情報を「会話」ボタン２４−４をアイコン２３−３として表示することができ、「会話」ボタン２４−４は、例えば応答（「こんちには」、「こちらこそ」、「了解」等）を表すことができる。もちろん、「会話」ボタン２４−４が例えば挨拶、提案等を表し、「会話」ボタン３４−３，３４−４が例えばその応答等を表してもよい。
【０１３２】
なお、例えば図９（Ｂ）〜図９（Ｄ）のディスプレイは、例えばナビゲーション装置のディスプレイであるが、四輪車２００の室内に携帯可能な例えばスマートフォンのディスプレイであってもよい。或いは、例えば図９（Ｂ）〜図９（Ｄ）のディスプレイは、ナビゲーション装置のディスプレイ及びスマートフォンのディスプレイで実現されてもよい。例えば、スマートフォンのディスプレイは、ナビゲーション装置のディスプレイのミラー表示であってもよい。代替的に、ナビゲーション装置のディスプレイのボタン及び／又は抽出画像がスマートフォンのディスプレイに表示されてもよい。
【０１３３】
例えば図９（Ｂ）〜図９（Ｄ）のディスプレイは、ナビゲーション画面２３−１と抽出画像２３−４（受信画像）を全画面で切り換えているが、図９（Ｆ）のディスプレイは、ナビゲーション画面２３−１と抽出画像２３−４（受信画像）との双方を並べて表示してもよい。図９（Ｆ）において、ナビゲーション画面２３−１は、抽出画像２３−４の例えば左側に配置されている。もちろん、ナビゲーション画面２３−１は、抽出画像２３−４の例えば右側、下側、上側に配置されてもよい。抽出画像２３−４（受信画像）は、取得部１５又はカメラからの画像（取得画像）に相当し、例えば図７（Ａ）の四輪車２００の運転者は、その画像を見ることができる。ここで、抽出画像２３−４（受信画像、取得画像）は、静止画像であってもよく、動画像であってもよい。
【０１３４】
図９（Ｆ）のディスプレイは、例えば図９（Ｂ）の「要求」ボタン２４−３（アイコン２３−２）、「会話」ボタン２４−４（アイコン２３−３）等が構築又は表示される領域２３−５（コマンドバー表示領域）を例えばディスプレイの枠に周辺に配置することができる。図９（Ｆ）において、領域２３−５は、縦長領域及び横長領域の組み合わせであるが、縦長領域だけ又は横長領域だけであってもよい。更に、領域２３−５には、図示されない音声入力ボタン、ラジオ再生ボタン、音楽再生ボタン等であってもよい。これらのボタンは、任意に構築又は設定することができる。また、領域２３−５そのものが例えばウィジットであり、例えば左からのフリップ操作などで、これらのボタンを出し入れ自在である。また、スライド操作で、任意のボタンの表示を入れ替え可能である。
【０１３５】
ところで、例えば図９（Ｂ）のナビゲーション画面２３−１（例えば図７（Ａ）の四輪車２００の情報通知装置２０）は、例えば図７（Ａ）の電動カート３００の位置を表示してもよい。このような表示について、以下に説明する。
【０１３６】
情報通知装置２０は、情報通知装置１０への接続要求として、情報通知装置２０の差出人情報（第１の差出人情報）であるＩＤ２０と情報通知装置２０の位置を表す存在情報であるＳＴＡＴＥ２０とを情報通知装置１０に送信することができる（図１０のステップＳＴ０３参照）。同様に、情報通知装置３００は、情報通知装置１０への接続要求として、情報通知装置３０の差出人情報（第２の差出人情報）であるＩＤ３０と情報通知装置３０の位置を表す存在情報であるＳＴＡＴＥ３０とを情報通知装置１０に送信することができる（図１０のステップＳＴ０５参照）。好ましくは、ＳＴＡＴＥ３０及びＳＴＡＴＥ２０は、例えば図１０のステップＳＴ０６で更新され、情報通知装置１０は、ステップＳＴ０７−１を実行する前に、例えばＩＤ２０及びＳＴＡＴＥ２０を情報通知装置３０に送信することができる。同様に、情報通知装置１０は、ステップＳＴ０７−１を実行する前に、例えばＩＤ３０及びＳＴＡＴＥ３０を情報通知装置２０に送信することができる。
【０１３７】
例えばＩＤ３０及びＳＴＡＴＥ３０を受信する情報通知装置２０は、例えば図９（Ｂ）のナビゲーション画面２３−１の地図上に、例えばＩＤ３０（電動カート３００）を識別するアイコンを例えばＳＴＡＴＥ３０に相当する位置で表示することができる。同様に、例えば図９（Ａ）のアプリケーション画像がナビゲーション画面である時に、図９（Ａ）のアプリケーション画像（ナビゲーション画面）は、例えば図７（Ａ）の四輪車２００の位置を表示してもよい。具体的には、例えばＩＤ２０及びＳＴＡＴＥ２０を受信する情報通知装置３０は、例えば図９（Ａ）のアプリケーション画像（ナビゲーション画面）の地図上に、例えばＩＤ２０（四輪車２００）を識別するアイコンを例えばＳＴＡＴＥ２０に相当する位置で表示することができる。
【０１３８】
加えて、例えば図９（Ｂ）のナビゲーション画面２３−１（例えば図７（Ａ）の四輪車２００の情報通知装置２０）は、例えば図７（Ａ）のバス１００の位置を表示してもよい。同様に、図９（Ａ）のアプリケーション画像（ナビゲーション画面）は、例えば図７（Ａ）のバス１００の位置を表示してもよい。このような表示について、以下に説明する。
【０１３９】
情報通知装置１０は、ステップＳＴ０７−１を実行する前に、例えばＩＤ１０及びＳＴＡＴＥ１０を情報通知装置２０に送信することができる。例えばＩＤ１０及びＳＴＡＴＥ１０を受信する情報通知装置２０は、例えば図９（Ｂ）のナビゲーション画面２３−１の地図上に、例えばＩＤ１０（バス１００）を識別するアイコンを例えばＳＴＡＴＥ１０に相当する位置で表示することができる。同様に、情報通知装置１０は、ステップＳＴ０７−１を実行する前に、例えばＩＤ１０及びＳＴＡＴＥ１０を情報通知装置３０に送信することができる。例えばＩＤ１０及びＳＴＡＴＥ１０を受信する情報通知装置３０は、例えば図９（Ａ）のアプリケーション画像（ナビゲーション画面）の地図上に、例えばＩＤ１０（バス１００）を識別するアイコンを例えばＳＴＡＴＥ１０に相当する位置で表示することができる。
【０１４０】
ここで、例えばＩＤ１０（バス１００）を識別するアイコンは、或いは、そのアイコンの周辺に新しく生成されたアイコンは、例えば「接近車両あり！」、「周辺車両あり！」、「接近注意」、「周辺注意」等のテキスト(受信テキスト)を表す例えば吹き出し画像であってもよい。言い換えれば、このようなアイコン（例えば吹き出し画像）は、例えば図９（Ｅ）の情報通知装置３０のディスプレイの抽出画像３４−５（例えば受信テキストに基づく情報通知装置３０側の生成画像又はローカル画像）、及び／又は、例えば図９（Ｄ）の情報通知装置３０のディスプレイの抽出画像２３−４（受信画像）の代わりに、採用されてもよい。
【０１４１】
具体的には、このようなアイコン（例えば吹き出し画像）が例えば図９（Ｅ）の情報通知装置３０のディスプレイの抽出画像３４−５の代わりに採用される時に、情報通知装置１０は、ステップＳＴ０８−２で、接続要求の差出人情報であるＩＤ３０を宛先人情報として採用するＩＤ３０と、例えば情報通知装置１０の位置を位置情報として採用するＳＴＡＴＥ１０と、受信テキストを存在情報として採用するＭＥＳＳＡＧＥ３０と、を情報通知装置３０（宛先人）に送信することができる。なお、ＳＴＡＴＥ１０は、例えば情報通知装置２０の位置を位置情報として採用してもよい。
【０１４２】
また、このようなアイコン（例えば吹き出し画像）が例えば図９（Ｄ）の情報通知装置３０のディスプレイの抽出画像２３−４（受信画像）の代わりに採用されない時に、情報通知装置１０は、ステップＳＴ０８−１で、接続要求の差出人情報であるＩＤ２０を宛先人情報として採用するＩＤ２０と、例えば情報通知装置１０の位置を位置情報として採用するＳＴＡＴＥ１０と、受信画像を存在情報として採用するＭＥＳＳＡＧＥ２０と、を情報通知装置３０（宛先人）に送信することができる。なお、ＳＴＡＴＥ１０は、例えば情報通知装置３０の位置を位置情報として採用してもよい。
【０１４３】
本発明は、上述の例示的な実施形態に限定されず、また、当業者は、上述の例示的な実施形態を特許請求の範囲に含まれる範囲まで、容易に変更することができるであろう。
【符号の説明】
【０１４４】
１０・・・情報通知装置（第３の情報通知装置），１１・・・処理部、１４・・・操作部、１５・・・取得部、１６・・・送信部、２０・・・情報通知装置（第１の情報通知装置），２１・・・処理部、２３・・・報知部、２７・・・受信部、３０・・・情報通知装置（第２の情報通知装置）、３１・・・処理部、３３・・・報知部、３７・・・受信部、４０・・・情報通知システム、１００・・・第３の移動体、２００・・・第１の移動体（例えば四輪車）、３００・・・第２の移動体（例えば二輪車又は例えば乗用型の電動カート）、ＣＬＡＳＳ１０・・・第１の識別情報、ＣＬＡＳＳ３０・・・第２の識別情報、ＭＥＳＳＡＧＥ１０，ＭＥＳＳＡＧＥ２０，ＭＥＳＳＡＧＥ３０・・・存在情報（例えば接近情報）。
【図１】
2015064745.tif 000003
【図２】
2015064745.tif 000004
【図３】
2015064745.tif 000005
【図４】
2015064745.tif 000006
【図５】
2015064745.tif 000007
【図６】
2015064745.tif 000008
【図７】
2015064745.tif 000009
【図８】
2015064745.tif 000010
【図９】
2015064745.tif 000011
【図１０】
2015064745.tif 000012
【図１１】
2015064745.tif 000013
【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
トリガー情報に応じて、第１の移動体と第２の移動体との間の少なくとも１つの存在情報を生成する処理部と、
前記少なくとも１つの存在情報を前記第１の移動体及び前記第２の移動体の両者に送信する送信部と、
を備え、
前記少なくとも１つの存在情報は、前記第２の移動体の第２の処理部に、前記少なくとも１つの存在情報に基づく前記第２の移動体の周辺の前記第１の移動体の存在を表す他の存在情報を識別させることが可能であり、
前記トリガー情報は、前記第１の移動体及び前記第２の移動体の少なくとも１つからの要求情報、又は、ユーザからの操作情報であることを特徴とする情報通知装置。
【請求項２】
前記少なくとも１つの存在情報は、第１の存在情報及び第２の存在情報を含み、
前記送信部は、前記第１の存在情報を前記第１の移動体に送信するとともに、前記第２の存在情報を前記第２の移動体に送信し、
前記前記第２の存在情報は、前記第２の移動体の前記第２の処理部に、前記第２の存在情報に基づく前記他の存在情報を識別させることを特徴とする請求項１に記載の情報通知装置。
【請求項３】
前記第１の存在情報は、画像であり、
前記画像は、前記第１の移動体の前記第１の処理部に、前記第１の移動体の報知部での前記画像の表示を実行させることを特徴とする請求項２に記載の情報通知装置。
【請求項４】
前記要求情報を前記トリガー情報として受信する受信部を
さらに備え、
前記処理部は、前記要求情報に応じて、前記少なくとも１つの存在情報を生成することを特徴とする請求項１乃至３の何れか１項に記載の情報通知装置。
【請求項５】
前記少なくとも１つの存在情報は、共通の存在情報であり、
前記処理部は、前記共通の存在情報に、第１の識別情報及び第２の識別情報の両者を付加し、
前記第１の識別情報は、前記第１の移動体の第１の処理部に、前記共通の存在情報を前記第１の移動体の周辺の前記第２の移動体の存在を表す第１の存在情報に変換させることが可能であり、
前記他の存在情報は、
前記第２の識別情報は、前記第２の移動体の前記第２の処理部に、前記共通の情報を前記他の存在情報に変換させることが可能であることを特徴とする請求項１に記載の情報通知装置。
【請求項６】
前記操作情報を前記トリガー情報として受付可能な操作部を
さらに備え、
前記処理部は、前記操作情報に応じて、前記共通の存在情報を生成することを特徴とする請求項５に記載の情報通知装置。
【請求項７】
前記要求情報を前記トリガー情報として受信する受信部を
さらに備え、
前記処理部は、前記要求情報に応じて、前記共有の存在情報を生成することを特徴とする請求項５に記載の情報通知装置。
【請求項８】
前記情報通知装置は、車両の室内に携帯可能な携帯端末であることを特徴とする請求項１乃至７の何れか１項に記載の情報通知装置。
【請求項９】
前記情報通知装置は、車両のダッシュボード又は前記ダッシュボードの周辺に組み込まれた車載装置であることを特徴とする請求項１乃至７の何れか１項に記載の情報通知装置。
【請求項１０】
前記第１の移動体に配置され、前記第１の移動体の第１の処理部を有する第１の情報通知装置と、
前記第２の移動体に配置され、前記第２の移動体の前記第２の処理部を有する第２の情報通知装置と、
前記第１の移動体と前記第２の移動体との間に位置する第３の移動体に配置される請求項１乃至４の何れか１項に記載の前記情報通知装置である第３の情報通知装置と、
を備え、
前記第３の情報通知装置は、前記第２の情報通知装置からの第２の差出人情報を受信し、且つ前記第２の差出人情報に基づき前記少なくとも１つの存在情報を送信することを特徴とする情報通知システム。
【請求項１１】
前記第３の情報通知装置は、請求項２又は３に記載の前記情報通知装置であり、
前記第３の情報通知装置は、前記第１の情報通知装置からの第１の差出人情報を受信し、且つ前記第１の差出人情報に基づき前記第１の存在情報を送信することを特徴とする請求項１０に記載の情報通知システム。
【請求項１２】
前記第１の移動体に配置され、前記第１の移動体の前記第１の処理部を有する第１の情報通知装置と、
前記第２の移動体に配置され、前記第２の移動体の前記第２の処理部を有する第２の情報通知装置と、
前記第１の移動体と前記第２の移動体との間に位置する第３の移動体に配置される請求項５乃至７の何れか１項に記載の前記情報通知装置である第３の情報通知装置と、
を備え、
前記第１の情報通知装置は、前記第３の情報通知装置からの前記共有の存在情報、前記第１の識別情報及び前記第２の識別情報を受信し、前記第１の移動体が前記第１の識別情報に該当する時に、前記共有の存在情報を前記第１の存在情報に変換して、前記第１の存在情報を報知し、
前記第２の情報通知装置は、前記第３の情報通知装置からの前記共有の存在情報、前記第１の識別情報及び前記第２の識別情報を受信し、前記第２の移動体が前記第２の識別情報に該当する時に、前記共有の存在情報を前記第２の存在情報に変換して、前記第２の存在情報を報知することを特徴とする情報通知システム。
【請求項１３】
第１の移動体と第２の移動体との間の存在情報を生成する処理部と、
前記存在情報を前記第１の移動体に送信する送信部と、
を備え、
前記処理部は、前記存在情報に、第１の種別に関する第１の識別情報及び第２の種別に関する第２の識別情報の両者を付加し、
前記第１の識別情報及び前記第２の識別情報は、それぞれ、前記第１の移動体又は前記第２の移動体の一方の処理部に、前記第１の種別と前記第２の種別とを識別させることが可能であり、
前記第１の移動体又は前記第２の移動体の前記一方の種別が前記第１の識別情報内の前記第１の種別に一致する時に、前記第１の識別情報は、前記第１の移動体又は前記第２の移動体の前記一方の前記処理部に、前記存在情報を前記第１の移動体又は前記第２の移動体の他方が前記第１の移動体又は前記第２の移動体の前記一方の周辺に存在していることを表す第１の存在情報に変換させることが可能であり、
前記第１の移動体と前記第２の移動体との間に位置する第３の移動体に配置されることを特徴とする情報通知装置。
【請求項１４】
トリガー情報に応じて、第１の移動体と第２の移動体との間の少なくとも１つの存在情報を生成すること、
及び
前記少なくとも１つの存在情報を前記第１の移動体及び前記第２の移動体の両者に送信すること、
を含み、
前記少なくとも１つの存在情報は、前記第２の移動体の第２の処理部に、前記少なくとも１つの存在情報に基づく前記第２の移動体の周辺の前記第１の移動体の存在を表す他の存在情報を識別させることが可能であり、
前記トリガー情報は、前記第１の移動体及び前記第２の移動体の少なくとも１つからの要求情報、又は、ユーザからの操作情報であることを特徴とする情報通知方法。
【請求項１５】
コンピュータに
トリガー情報に応じて、第１の移動体と第２の移動体との間の少なくとも１つの存在情報を生成すること、
及び
前記少なくとも１つの存在情報を前記第１の移動体及び前記第２の移動体の両者に送信すること、
を実行させるための情報通知プログラムであって、
前記少なくとも１つの存在情報は、前記第２の移動体の第２の処理部に、前記少なくとも１つの存在情報に基づく前記第２の移動体の周辺の前記第１の移動体の存在を表す他の存在情報を識別させることが可能であり、
前記トリガー情報は、前記第１の移動体及び前記第２の移動体の少なくとも１つからの要求情報、又は、ユーザからの操作情報であることを特徴とする情報通知プログラム。
【国際調査報告】
2015064745.tif 000014
2015064745.tif 000015
2015064745.tif 000016
2015064745.tif 000017